(57)【要約】【課題】放送用テレビジョン受信機をモニタとして利用してテレビジョン電話会議を行う場合の、会議通話の開始前及び終了後における利用者の操作負担を軽減する。【解決手段】テレビ電話通信の開始前に、放送用テレビジョン受信機ＴＶの入力端子を切り替えるために操作された発信ボタン２２１及び着信ボタン２２２の操作回数を入力切替指示数カウンタ１２２でカウントして保持しておく。そして、テレビ電話通信終了後に、放送用テレビジョン受信機ＴＶが保有する入力端子の総数から上記入力切替指示数カウンタ１２２に保持されたカウント値を引き算し、この引き算後の値に相当する回数だけ放送用テレビジョン受信機ＴＶに対し赤外線リモコン発光部ＲＯから入力端子切替指示のための赤外線信号を送信する。【選択図】図２
2009272717.tif 000002
【特許請求の範囲】
【請求項１】
リモートコントローラから送信されるテレビジョン受信動作制御用の遠隔制御信号を受信するリモコン受信部と、異なる入力ソースが接続される複数の入力端子とを備えた放送用テレビジョン受信機の、前記入力端子の１つに接続されて使用される会議通話端末装置であって、
前記放送用テレビジョン受信機のリモコン受信部に向けて、前記リモートコントローラから送信される遠隔制御信号と等価な疑似遠隔制御信号を送信するリモコン送信部と、
会議通話のための発信ボタンの操作と、電話番号の入力操作をそれぞれ受け付ける手段と、
前記電話番号の入力前に前記発信ボタンの操作を１回受け付けるごとに、前記放送用テレビジョン受信機の入力ソースを切り替えるための第１の遠隔制御コードを生成し、この生成された第１の遠隔制御コードに対応する遠隔制御信号を前記リモコン送信部から送信させる手段と、
前記電話番号の入力前における前記発信ボタンの操作回数を計数してその計数値を保持する手段と、
前記電話番号の入力後に前記発信ボタンの操作を受け付けたとき、前記入力された電話番号に基づいて通話相手の端末装置に対する発信処理を実行する手段と、
前記通話相手の端末装置との間の会議通話終了後に、前記入力ソースが接続された入力端子の総数と、前記保持された発信ボタンの操作回数の計数値とに基づいて、前記放送用テレビジョン受信機の入力ソースを前記切替前の入力ソースに復旧させるために必要な数の第２の遠隔制御コードを生成し、この生成された第２の遠隔制御コードに対応する遠隔制御信号を前記リモコン送信部から送信させる手段と
を具備することを特徴とする会議通話端末装置。
【請求項２】
会議通話のための着信ボタンの操作を受け付ける手段と、
着信報知動作中に前記着信ボタンの操作を受け付けたとき、着信応答処理を実行する手段と、
前記着信応答処理後に前記着信ボタンの操作をさらに１回受け付けるごとに、前記放送用テレビジョン受信機の入力ソースを切り替えるための第３の遠隔制御コードを生成し、この生成された第３の遠隔制御コードに対応する遠隔制御信号を前記リモコン送信部から送信させる手段と、
前記着信応答処理後に前記着信ボタンの操作回数を計数してその計数値を保持する手段と、
前記通話相手の端末装置との間の会議通話終了後に、前記入力ソースが接続された入力端子の総数と、前記保持された着信ボタンの操作回数の計数値とに基づいて、前記放送用テレビジョン受信機の入力ソースを前記切替前の入力ソースに復旧させるために必要な数の第４の遠隔制御コードを生成し、この生成された第４の遠隔制御コードに対応する遠隔制御信号を前記リモコン送信部から送信させる手段と
を、さらに具備することを特徴とする請求項１記載の会議通話端末装置。
【請求項３】
リモートコントローラから送信されるテレビジョン受信動作制御用の遠隔制御信号を受信するリモコン受信部と、異なる入力ソースが接続される複数の入力端子とを備えた放送用テレビジョン受信機の、前記入力端子の１つに接続されて使用される会議通話端末装置であって、
前記放送用テレビジョン受信機のリモコン受信部に向けて、前記リモートコントローラから送信される遠隔制御信号と等価な疑似遠隔制御信号を送信するリモコン送信部と、
会議通話のための発信ボタンの操作と、電話番号の入力操作と、切替ボタンの操作をそれぞれ受け付ける手段と、
前記切替ボタンの操作を１回受け付けるごとに、前記放送用テレビジョン受信機の入力ソースを切り替えるための第１の遠隔制御コードを生成し、この生成された第１の遠隔制御コードに対応する遠隔制御信号を前記リモコン送信部から送信させる手段と、
前記切替ボタンの操作回数を計数してその計数値を保持する手段と、
前記電話番号の入力後に前記発信ボタンの操作を受け付けたとき、前記入力された電話番号に基づいて通話相手の端末装置に対する発信処理を実行する手段と、
前記通話相手の端末装置との間の会議通話終了後に、前記入力ソースが接続された入力端子の総数と、前記保持された切替ボタンの操作回数の計数値とに基づいて、前記放送用テレビジョン受信機の入力ソースを前記切替前の入力ソースに復旧させるために必要な数の第２の遠隔制御コードを生成し、この生成された第２の遠隔制御コードに対応する遠隔制御信号を前記リモコン送信部から送信させる手段と
を具備することを特徴とする会議通話端末装置。
【請求項４】
会議通話のための着信ボタンの操作を受け付ける手段と、
着信報知動作中に前記着信ボタンの操作を受け付けたとき、着信応答処理を実行する手段と、
前記着信応答処理前後に前記切替ボタンの操作を１回受け付けるごとに、前記放送用テレビジョン受信機の入力ソースを切り替えるための第３の遠隔制御コードを生成し、この生成された第３の遠隔制御コードに対応する遠隔制御信号を前記リモコン送信部から送信させる手段と、
前記着信応答処理前後における前記切替ボタンの操作回数を計数してその計数値を保持する手段と、
前記通話相手の端末装置との間の会議通話終了後に、前記入力ソースが接続された入力端子の総数と、前記保持された切替ボタンの操作回数の計数値とに基づいて、前記放送用テレビジョン受信機の入力ソースを前記切替前の入力ソースに復旧させるために必要な数の第４の遠隔制御コードを生成し、この生成された第４の遠隔制御コードに対応する遠隔制御信号を前記リモコン送信部から送信させる手段と
を、さらに具備することを特徴とする請求項３記載の会議通話端末装置。
【請求項５】
リモートコントローラから送信されるテレビジョン受信動作制御用の遠隔制御信号を受信するリモコン受信部と、異なる入力ソースが接続される複数の入力端子とを備えた放送用テレビジョン受信機の、前記入力端子の１つに接続されて使用される会議通話端末装置であって、
前記放送用テレビジョン受信機のリモコン受信部に向けて、前記リモートコントローラから送信される遠隔制御信号と等価な疑似遠隔制御信号を送信するリモコン送信部と、
会議通話のための発信ボタンの操作と、電話番号の入力操作をそれぞれ受け付ける手段と、
前記電話番号の入力前に前記発信ボタンの操作を受け付けたとき、前記放送用テレビジョン受信機の入力ソースを切り替えるための第１の遠隔制御コードを生成し、この生成された第１の遠隔制御コードに対応する遠隔制御信号を、前記複数の入力ソースのうち前記会議通話装置を選択するために必要な回数だけ、前記リモコン送信部から繰り返し送信させる手段と、
前記会議通話装置を選択するために必要な回数を保持する手段と、
前記電話番号の入力後に前記発信ボタンの操作を受け付けたとき、前記入力された電話番号に基づいて通話相手の端末装置に対する発信処理を実行する手段と、
前記通話相手の端末装置との間の会議通話終了後に、前記保持された必要回数に基づいて、前記放送用テレビジョン受信機の入力ソースを前記切替前の入力ソースに復旧させるために必要な数の第２の遠隔制御コードを生成し、この生成された第２の遠隔制御コードに対応する遠隔制御信号を前記リモコン送信部から送信させる手段と
を具備することを特徴とする会議通話端末装置。
【請求項６】
会議通話のための着信ボタンの操作を受け付ける手段と、
着信報知動作中に前記着信ボタンの操作を受け付けたとき、着信応答処理を実行すると共に、当該着信応答処理と並行して前記放送用テレビジョン受信機の入力ソースを切り替えるための第３の遠隔制御コードを生成し、この生成された第３の遠隔制御コードに対応する遠隔制御信号を、前記複数の入力ソースのうち前記会議通話装置を選択するために必要な回数だけ、前記リモコン送信部から繰り返し送信させる手段と、
前記会議通話装置を選択するために必要な回数を保持する手段と、
前記通話相手の端末装置との間の会議通話終了後に、前記保持された必要回数に基づいて、前記放送用テレビジョン受信機の入力ソースを前記切替前の入力ソースに復旧させるために必要な数の第４の遠隔制御コードを生成し、この生成された第４の遠隔制御コードに対応する遠隔制御信号を前記リモコン送信部から送信させる手段とを、さらに具備することを特徴とする請求項５記載の会議通話端末装置。
【請求項７】
会議通話が開始される前の、前記放送用テレビジョン受信機の電源のオン／オフ状態を表す情報を保存する手段と、
前記会議通話終了後に、前記保存された電源のオン／オフ状態を表す情報をもとに、会議通話が開始される前の前記放送用テレビジョン受信機の電源がオン状態であったかオフ状態であったかを判定する手段と、
会議通話が開始される前の前記放送用テレビジョン受信機の電源がオフだったと判定された場合に、前記第２又は第４の遠隔制御コードに対応する遠隔制御信号の送信終了後に、前記放送用テレビジョン受信機の電源をオフするための第５の遠隔制御コードを生成し、この生成された第５の遠隔制御コードに対応する遠隔制御信号を前記リモコン送信部から送信させる手段と
を、さらに具備することを特徴とする請求項１乃至６のいずれかに記載の会議通話端末装置。
【発明の詳細な説明】
【技術分野】
【０００１】
この発明は、放送用テレビジョン受信機をモニタとして利用する会議通話端末装置に関する。
【背景技術】
【０００２】
昨今、インターネット等のＩＰ（Internet Protocol）ネットワークの急速な普及・拡大やネットワークの高速化等、情報流通社会を支えるネットワークや技術の発展に伴い、学校教育やビジネス等の様々な場面において、テレビジョン電話会議を可能とする会議通話端末装置が種々開発されている。ところが、この種の装置は一般に会議専用のモニタを必要とする。このため、装置が大掛かりで高価になると云う課題がある。
【０００３】
そこで、放送用テレビジョン受信機をモニタとして利用する装置が提案されている。このような装置であれば、既設の放送用テレビジョン受信機をモニタとして利用できるので、装置を安価にすることが可能となる（例えば、非特許文献１を参照。）。
【０００４】
【非特許文献１】WPC EXPO 2003レポート「ＩＰテレビ電話を行えるＳＴＢ」、住友電工、＜URL：http://plused.itmedia.co.jp/broadband/0309/17/lp19.html＞
【発明の開示】
【発明が解決しようとする課題】
【０００５】
ところが、前記非特許文献１に記載された装置では、既設の放送用テレビジョン受信機と会議通話端末装置とが独立して動作するものとなっている。このため、テレビジョン電話会議を行う場合には、放送用テレビジョン受信機の電源をオンしたのち入力端子の切り替え操作を行って会議通話端末装置の出力映像がモニタに表示されるように設定し、これとは別に会議通話端末装置の電源をオンしてテレビジョン電話会議を開始するための呼接続操作等を行う必要がある。
【０００６】
また、会議通話を終了する場合には、会議通話端末装置においてテレビジョン電話会議を終了するための呼切断操作を行ったのち電源をオフし、さらに放送用テレビジョン受信機の電源をオフする操作を行わなければならない。さらに、単に放送用テレビジョン受信機の電源をオフするだけでは、放送用テレビジョン受信機の入力ソースが会議通話端末装置のまま維持される。このため、その後利用者が放送用テレビジョン受信機によりテレビジョン放送を視聴しようとする場合には、入力ソースを会議通話端末装置からテレビジョン受信機に切り替える操作が必要となる。  
すなわち、会議通話の開始前及び終了後に、会議通話端末装置に対する操作と放送用テレビジョン受信機に対する操作を別々に行う必要があり、その操作が著しく面倒だった。
【０００７】
この発明は上記事情に着目してなされたもので、その目的とするところは、放送用テレビジョン受信機をモニタとして利用してテレビジョン電話会議を行う場合の、会議通話の開始前及び終了後における利用者の操作負担を軽減するようにした会議通話端末装置を提供することにある。
【課題を解決するための手段】
【０００８】
上記目的を達成するためにこの発明の第１の観点は、リモートコントローラから送信されるテレビジョン受信動作制御用の遠隔制御信号を受信するリモコン受信部と、異なる入力ソースが接続される複数の入力端子とを備えた放送用テレビジョン受信機の、上記入力端子の１つに接続されて使用される会議通話端末装置にあって、上記放送用テレビジョン受信機のリモコン受信部に向けて、上記リモートコントローラから送信される遠隔制御信号と等価な疑似遠隔制御信号を送信するリモコン送信部を新たに設ける。そして、電話番号の入力前に発信ボタンの操作を受け付けたときは、その１回の操作ごとに上記放送用テレビジョン受信機の入力ソースを切り替えるための第１の遠隔制御コードを生成して、この第１の遠隔制御コードに対応する遠隔制御信号を上記リモコン送信部から送信させ、一方上記電話番号の入力後に上記発信ボタンの操作を受け付けたときには、上記入力された電話番号に基づいて通話相手の端末装置に対する発信処理を実行するように構成している。
【０００９】
したがって、電話番号の入力に先立ち発信者が発信ボタンを操作すると、その操作ごとに放送用テレビジョン受信機の入力ソースを切り替えるための遠隔制御信号がリモコン送信部から送信され、これにより入力ソースの切り替えが行われる。すなわち、発信ボタンの操作により、発信のための呼接続指示と放送用テレビジョン受信機の入力ソースの切替指示の両方を自動的に識別して入力することが可能となる。このため、発信者は会議通話を開始する際に、放送用テレビジョン受信機のリモートコントローラを別途操作して入力ソースを切り替える必要がなくなり、その分操作負担が軽減される。
【００１０】
またこの発明の第１の観点は、以下のような機能をさらに備えることを特徴とする。すなわち、一般的な放送用テレビジョン受信機の入力端子切替機能は、入力端子の切替操作を１回行うごとに入力端子が順次切り替わり、最後の入力端子が選択された状態でさらに入力端子の切替操作を行うと最初の入力端子に切り替わる、いわゆる循環切替方式を採用している。そこでこの点に着目して、上記入力端子の切替を目的とする発信ボタンの操作回数を計数してその計数値を保持しておき、上記通話相手の端末装置との間の会議通話終了後に、上記入力ソースが接続された入力端子の総数と、上記保持された発信ボタンの操作回数の計数値とに基づいて、上記放送用テレビジョン受信機の入力ソースを上記切替前の入力ソースに復旧させるために必要な数の第２の遠隔制御コードを生成し、この生成された第２の遠隔制御コードに対応する遠隔制御信号を上記リモコン送信部から送信させるように構成している。
【００１１】
したがって、会議通話終了後には、放送用テレビジョン受信機の入力ソースを切替前の入力ソースに復旧させるための遠隔制御信号が必要回数だけ自動送信されて、放送用テレビジョン受信機の入力ソースが会議通話前の状態に自動復旧される。このため、発信者は会議通話終了後においても、放送用テレビジョン受信機のリモートコントローラを別途操作して入力ソースを切り替える必要がなくなる。
【００１２】
またこの発明の第１の観点は、上記構成要素に加え、着信報知動作中に着信ボタンの操作を受け付けたときに着信応答処理を実行し、一方上記着信応答処理後に上記着信ボタンの操作を受け付けたときには、その操作ごとに上記放送用テレビジョン受信機の入力ソースを切り替えるための第３の遠隔制御コードを生成して、この第３の遠隔制御コードに対応する遠隔制御信号を上記リモコン送信部から送信させる手段をさらに備える。
【００１３】
またそれと共に、上記着信応答処理後に上記着信ボタンの操作回数を計数してその計数値を保持し、通話相手の端末装置との間の会議通話終了後に、上記入力ソースが接続された入力端子の総数と、上記保持された着信ボタンの操作回数の計数値とに基づいて、上記放送用テレビジョン受信機の入力ソースを上記切替前の入力ソースに復旧させるために必要な数の第４の遠隔制御コードを生成し、この生成された第４の遠隔制御コードに対応する遠隔制御信号をリモコン送信部から送信させる手段をさらに備えることも特徴とする。
【００１４】
このようにすると、発信時だけでなく、着信時においても、着信ボタンの操作により着信応答のための呼接続指示と放送用テレビジョン受信機の入力ソースの切替指示の両方を自動的に識別して入力することが可能となる。このため、着信者は会議通話を開始する際に、放送用テレビジョン受信機のリモートコントローラを別途操作して入力ソースを切り替える必要がなくなり、その分操作負担が軽減される。
【００１５】
また会議通話終了後には、放送用テレビジョン受信機の入力ソースを切替前の入力ソースに復旧させるための遠隔制御信号が必要回数だけ自動送信されて、放送用テレビジョン受信機の入力ソースが会議通話前の状態に自動復旧される。このため、着信者は会議通話終了後においても、放送用テレビジョン受信機のリモートコントローラを別途操作して入力ソースを切り替える必要もなくなる。
【００１６】
上記目的を達成するためにこの発明の第２の観点は、放送用テレビジョン受信機のリモコン受信部に向けてテレビジョン用のリモートコントローラから送信される遠隔制御信号と等価な疑似遠隔制御信号を送信するリモコン送信部を新たに設ける。そして、切替ボタンの操作を１回受け付けるごとに上記放送用テレビジョン受信機の入力ソースを切り替えるための第１の遠隔制御コードを生成して、この第１の遠隔制御コードに対応する遠隔制御信号を上記リモコン送信部から送信させ、一方電話番号の入力後に上記発信ボタンの操作を受け付けたときには上記入力された電話番号に基づいて通話相手の端末装置に対する発信処理を実行するように構成している。  
【００１７】
またそれと共に、上記切替ボタンの操作回数を計数してその計数値を保持しておき、通話相手の端末装置との間の会議通話終了後に、上記入力ソースが接続された入力端子の総数と、上記保持された切替ボタンの操作回数の計数値とに基づいて、上記放送用テレビジョン受信機の入力ソースを上記切替前の入力ソースに復旧させるために必要な数の第２の遠隔制御コードを生成し、この生成された第２の遠隔制御コードに対応する遠隔制御信号を上記リモコン送信部から送信させるように構成している。
【００１８】
したがって、切替ボタンを操作すると、その操作ごとに放送用テレビジョン受信機の入力ソースを切り替えるための遠隔制御信号がリモコン送信部から送信されて、入力ソースの切り替えが行われる。このため、発信者は会議通話を開始する際に、放送用テレビジョン受信機のリモートコントローラを別途操作して入力ソースを切り替える必要がなくなり、その分操作負担が軽減される。  
【００１９】
またそれと共に、会議通話終了後には、放送用テレビジョン受信機の入力ソースを切替前の入力ソースに復旧させるための遠隔制御信号が必要回数だけ自動送信されて、放送用テレビジョン受信機の入力ソースが会議通話前の状態に自動復旧される。このため、発信者は会議通話終了後においても、放送用テレビジョン受信機のリモートコントローラを別途操作して入力ソースを切り替える必要がなくなる。
【００２０】
またこの発明の第２の観点は、上記構成要素に加え、着信報知動作中に上記着信ボタンの操作を受け付けたときに着信応答処理を実行し、一方上記着信応答処理前後に上記切替ボタンが操作されたときには、その１回の操作ごとに上記放送用テレビジョン受信機の入力ソースを切り替えるための第３の遠隔制御コードを生成して、この第３の遠隔制御コードに対応する遠隔制御信号を上記リモコン送信部から送信させる手段をさらに備える。  
【００２１】
またそれと共に、着信応答処理前後における上記切替ボタンの操作回数を計数してその計数値を保持しておき、通話相手の端末装置との間の会議通話終了後に、上記入力ソースが接続された入力端子の総数と、上記保持された切替ボタンの操作回数の計数値とに基づいて、上記放送用テレビジョン受信機の入力ソースを上記切替前の入力ソースに復旧させるために必要な数の第４の遠隔制御コードを生成し、この生成された第４の遠隔制御コードに対応する遠隔制御信号を上記リモコン送信部から送信させる手段をさらに備えることも特徴とする。
【００２２】
このようにすると、発信時だけでなく、着信時においても、切替ボタンの操作により放送用テレビジョン受信機の入力ソースの切替指示が入力される。このため、着信者は放送用テレビジョン受信機のリモートコントローラを別途操作して入力ソースを切り替える必要がなくなり、その分操作負担が軽減される。  
【００２３】
またそれと共に、会議通話終了後には、放送用テレビジョン受信機の入力ソースを切替前の入力ソースに復旧させるための遠隔制御信号が必要回数だけ自動送信されて、放送用テレビジョン受信機の入力ソースが会議通話前の状態に自動復旧される。このため、着信者は会議通話終了後においても、放送用テレビジョン受信機のリモートコントローラを別途操作して入力ソースを切り替える必要もなくなる。
【００２４】
上記目的を達成するためにこの発明の第３の観点は、放送用テレビジョン受信機のリモコン受信部に向けてテレビジョン用のリモートコントローラから送信される遠隔制御信号と等価な疑似遠隔制御信号を送信するリモコン送信部を新たに設ける。そして、電話番号の入力前に発信ボタンの操作を受け付けたときに、上記放送用テレビジョン受信機の入力ソースを切り替えるための第１の遠隔制御コードを生成して、この生成された第１の遠隔制御コードに対応する遠隔制御信号を、上記複数の入力ソースのうち上記会議通話装置を選択するために必要な回数だけ、上記リモコン送信部から繰り返し送信させる。一方、上記電話番号の入力後に上記発信ボタンの操作を受け付けたときには、上記入力された電話番号に基づいて通話相手の端末装置に対する発信処理を実行するように構成している。  
【００２５】
またそれと共に、上記会議通話装置を選択するために必要な遠隔制御信号の送信回数を保持し、通話相手の端末装置との間の会議通話終了後に、上記保持された必要回数に基づいて、上記放送用テレビジョン受信機の入力ソースを上記切替前の入力ソースに復旧させるために必要な数の第２の遠隔制御コードを生成し、この生成された第２の遠隔制御コードに対応する遠隔制御信号をリモコン送信部から送信させるように構成している。
【００２６】
したがって、電話番号の入力に先立ち発信者が発信ボタンを操作すると、放送用テレビジョン受信機の入力ソースを切り替えるための遠隔制御信号が必要回数だけリモコン送信部から送信され、これにより入力ソースの切り替えが行われる。すなわち、発信ボタンの操作により、発信のための呼接続指示と放送用テレビジョン受信機の入力ソースの切替指示の両方を自動的に識別して入力することが可能となる。このため、発信者は放送用テレビジョン受信機のリモートコントローラを別途操作して入力ソースを切り替える必要がなくなる。しかも、発信ボタンを１回操作するだけで遠隔制御信号が必要回数分だけ自動的に送信されるので、発信ボタンの操作回数を減らすことが可能となり、その分操作負担がさらに軽減される。  
【００２７】
またそれと共に、会議通話終了後には、放送用テレビジョン受信機の入力ソースを切替前の入力ソースに復旧させるための遠隔制御信号が必要回数だけ自動送信され、これにより放送用テレビジョン受信機の入力ソースが会議通話前の状態に自動復旧される。このため、発信者は会議通話終了後においても、放送用テレビジョン受信機のリモートコントローラを別途操作して入力ソースを切り替える必要がなくなる。
【００２８】
またこの発明の第３の観点は、上記構成要素に加え、着信報知動作中に上記着信ボタンの操作を受け付けたときに着信応答処理を実行し、かつそれと並行して上記放送用テレビジョン受信機の入力ソースを切り替えるための第３の遠隔制御コードを生成し、この生成された第３の遠隔制御コードに対応する遠隔制御信号を、上記複数の入力ソースのうち上記会議通話装置を選択するために必要な回数だけ、上記リモコン送信部から繰り返し送信させる手段をさらに備えることを特徴とする。
【００２９】
また、上記会議通話装置を選択するために必要な遠隔制御信号の送信回数を保持しておき、通話相手の端末装置との間の会議通話終了後に、上記保持された必要回数に基づいて、上記放送用テレビジョン受信機の入力ソースを上記切替前の入力ソースに復旧させるために必要な数の第４の遠隔制御コードを生成し、この生成された第４の遠隔制御コードに対応する遠隔制御信号を上記リモコン送信部から送信させる手段とをさらに備えることも特徴とする。
【００３０】
このようにすると、発信時ばかりでなく、着信時においても、着信ボタンの操作により、着信応答のための呼接続指示と放送用テレビジョン受信機の入力ソースの切替指示の両方を自動的に識別して入力することが可能となる。このため、着信者は放送用テレビジョン受信機のリモートコントローラを別途操作して入力ソースを切り替える必要がなくなる。しかも、着信ボタンを１回操作するだけで遠隔制御信号が必要回数分だけ自動的に送信されるので、着信ボタンの操作回数を減らすことが可能となり、その分操作負担がさらに軽減される。  
【００３１】
またそれと共に、会議通話終了後には、放送用テレビジョン受信機の入力ソースを切替前の入力ソースに復旧させるための遠隔制御信号が必要回数だけ自動送信され、これにより放送用テレビジョン受信機の入力ソースが会議通話前の状態に自動復旧される。このため、着信者は会議通話終了後においても、放送用テレビジョン受信機のリモートコントローラを別途操作して入力ソースを切り替える必要もなくなる。
【００３２】
またこの発明の第４の観点は、会議通話が開始される前の、上記放送用テレビジョン受信機の電源のオン／オフ状態を表す情報を保存する。そして、上記会議通話終了後に、上記保存された電源のオン／オフ状態を表す情報をもとに、会議通話が開始される前の上記放送用テレビジョン受信機の電源がオン状態であったかオフ状態であったかを判定し、電源がオフだった場合に、上記第２又は第４の遠隔制御コードに対応する遠隔制御信号の送信終了後に、上記放送用テレビジョン受信機の電源をオフするための第５の遠隔制御コードを生成して、この生成された第５の遠隔制御コードに対応する遠隔制御信号を上記リモコン送信部から送信させるように構成している。
【００３３】
したがって、会議通話開始前に放送用テレビジョン受信機が電源オフ状態だった場合には、会議通話終了後に、放送用テレビジョン受信機の入力ソースを会議通話前の状態に自動復旧させる処理が行われたのち、放送用テレビジョン受信機の電源が自動的にオフされる。このため、利用者は会議通話終了後に放送用テレビジョン受信機のリモートコントローラを別途操作して入力ソースを元に戻す操作と電源をオフする必要がなくなり、その分操作負担がさらに軽減される。
【発明の効果】
【００３４】
要するにこの発明によれば、放送用テレビジョン受信機をモニタとして利用してテレビジョン電話会議を行う場合の、会議通話の開始前及び終了後における利用者の操作負担を軽減するようにした会議通話端末装置を提供することができる。
【発明を実施するための最良の形態】
【００３５】
以下、図面を参照してこの発明に係わる実施形態を説明する。  
（第１の実施形態）  
図１は、この発明の第１の実施形態に係わる会議通話端末装置であるテレビジョン電話端末装置ＴＭＳと、その周辺部のシステム構成を示す図である。  
同図において、放送用テレビジョン受信機ＴＶは、例えば液晶ディスプレイからなるモニタ１と、音声出力用のスピーカ２と、リモートコントローラ（以後リモコンと略称する）受光部３と、３個の入力端子ＩＮ１，ＩＮ２，ＩＮ３を備えている。入力端子ＩＮ１には、同軸ケーブルＣR を介してアンテナＡＴが接続される。入力端子ＩＮ２には、ビデオケーブルＣV 及びオーディオケーブルＣA を介してビデオデッキＶＤが接続される。入力端子ＩＮ３には、ビデオケーブルＣV 及びオーディオケーブルＣA を介してテレビジョン電話端末（以後テレビ電話端末と略称する）ＴＭが接続される。
【００３６】
テレビジョン電話端末装置ＴＭＳは、テレビ電話端末ＴＭと、テレビ電話端末用のリモコンＲＣと、赤外線リモコン発光部ＲＯとから構成される。  
赤外線リモコン発光部ＲＯは、放送用テレビジョン受信機ＴＶに付属するリモコン（図示せず）と同一の赤外線信号を送信する機能を有するもので、上記放送用テレビジョン受信機ＴＶのリモコン受光部３に対し光学的に対向する位置に設置される。
【００３７】
テレビ電話端末用のリモコンＲＣは、上記赤外線リモコン発光部ＲＯが送信する赤外線信号とは異なる赤外線信号を送信する機能を有するもので、その操作面には図３に示すように、赤外線発光部２１と、テレビ電話端末操作用のボタン群２２と、電話番号入力用ボタン２３と、放送用テレビジョン操作用ボタン群２４が配置されている。テレビ電話端末操作用のボタン群２２は、発信ボタン２２１と、着信ボタン２２２と、切断ボタン２２３とから構成される。放送用テレビジョン操作用ボタン群２４は、テレビ電源ボタン２４１により構成される。
【００３８】
テレビ電話端末ＴＭはこの発明を実現する上で中核をなすもので、次のように構成される。図２はその構成を示すブロック図である。  
すなわち、テレビ電話端末ＴＭは例えばパーソナル・コンピュータにより構成され、ユーザ入力インタフェース部としての赤外線リモコン受信部１１と、アプリケーション制御部１２と、呼（ＳＩＰ）制御部１３と、通信プロトコル処理部１４と、ネットワークインタフェース部１５と、音声処理部１６と、映像処理部１７と、リモコンコード決定部１８を備えている。
【００３９】
赤外線リモコン受信部１１は、上記テレビ電話端末用リモコンＲＣから送信される赤外線信号を受信し、この受信した赤外線信号のコードデータをアプリケーション制御部１２に伝える。
アプリケーション制御部１２は、ＲＯＭ等に記憶されたアプリケーション・プログラムに従い当該端末の動作を統括的に制御する。呼（ＳＩＰ）制御部１３は、ＳＩＰによる呼接続に係わる一連のプロトコル処理を実行する。
【００４０】
通信プロトコル処理部１４は、呼（ＳＩＰ）制御部１３からの指示に従いＳＩＰに関するＩＰパケットを作成する。また、音声処理部１６から出力された符号化音声信号を含むＩＰパケット及び上記映像処理部１７から出力された符号化映像信号を含むＩＰパケットをそれぞれ作成する。そして、これらの作成されたＩＰパケットをネットワークインタフェース部１５へ転送し、このネットワークインタフェース部１５からTCP(UDP)/IP（Transmission Control Protocol (User Datagram Protocol)／Internet Protocol）に従い、図示しない通信ネットワークへ送信させる処理を実行する。
【００４１】
また通信プロトコル処理部１４は、通信ネットワークからネットワークインタフェース部１５を介して受信したＩＰパケットを解析してＴＣＰ（ＵＤＰ）／ＩＰ処理し、ＳＩＰに関するＩＰパケットの情報を呼（ＳＩＰ）制御部１３に転送する処理と、音声に関するＩＰパケットに挿入された符号化音声信号を音声処理部１６へ転送する処理と、映像に関するＩＰパケットに挿入された符号化映像信号を映像処理部１７へ転送する処理をそれぞれ実行する。
【００４２】
ネットワークインタフェース部１５は、上記通信プロトコル処理部１４により作成されたＩＰパケットを、ＭＡＣアドレス等を付加することにより例えばEthernet（登録商標）に対応する伝送フレームに変換し、この伝送フレームを通信ネットワークへ送信する処理と、通信ネットワークから受信したEthernet（登録商標）に対応する伝送フレームからＩＰパケットを抽出し、この抽出したＩＰバケットを通信プロトコル処理部１４に転送する処理をそれぞれ実行する。
【００４３】
音声処理部１６は、マイクロホン１６１から出力されたアナログ音声信号をG.711に従い音声符号化した後通信プロトコル処理部１４へ出力する処理と、通信プロトコル処理部１４から転送された符号化音声信号をG.711に従いアナログ音声信号に復号したのち音声出力端子１６２へ出力する処理と、上記マイクロホン１６１と放送用テレビジョン受信機ＴＶのスピーカ２との間のエコーキャンセル処理と、音声入力レベル及び出力レベルを調整する処理をそれぞれ実行する。
【００４４】
映像処理部１７は、ビデオカメラ１７１から出力されたアナログ映像信号をH.264に従い符号化した後通信プロトコル処理部１４へ出力する処理と、通信プロトコル処理部１４から転送された符号化映像信号をH.264に従いアナログ映像信号に復号したのち映像出力端子１７２へ出力する処理と、上記各アナログ映像信号を輝度調整する処理をそれぞれ実行する。
【００４５】
ところで、アプリケーション制御部１２はこの発明に係わる制御機能として、呼接続制御に係わる制御機能に加え、放送用テレビジョン受信機ＴＶに対し遠隔制御信号を送信するための制御機能を備えている。この遠隔制御信号を送信するための制御機能には、テレビ電話通信の開始前において放送用テレビジョン受信機ＴＶの入力端子を切り替えるための制御機能と、テレビ電話通信終了後に放送用テレビジョン受信機ＴＶの入力端子をテレビ電話前に選択されていた状態に復旧させる制御機能（入力端子初期化部１２５）と、この入力端子初期化部１２５による入力端子の切替状態の復旧後に放送用テレビジョン受信機ＴＶの電源をオフさせる制御機能が含まれる。
【００４６】
また、アプリケーション制御部１２には、上記遠隔制御信号を送信するための各制御機能を実現するために必要な回路として、入力切替指示数カウンタ１２２と、テレビ機種保持メモリ１２３と、入力端子総数検索テーブル１２４がそれぞれ接続されている。
【００４７】
入力切替指示数カウンタ１２２は、放送用テレビジョン受信機ＴＶの入力端子の切替を目的とするテレビ電話端末用リモコンＲＣの発信ボタン２２１及び着信ボタン２２２の操作の回数をカウントするために用いられる。テレビ機種保持メモリ１２３には、テレビジョン電話端末への接続が想定される放送用テレビジョン受信機ＴＶの全メーカ名とその機種を表す情報が記憶されている。
【００４８】
入力端子総数検索テーブル１２４には、上記放送用テレビジョン受信機ＴＶの全機種に対応付けて、当該放送用テレビジョン受信機ＴＶが保有する入力端子の総数を表す情報が記憶されている。図５にその一例を示す。例えば、「あ社」の機種「あ−Ａ」に対応付けて入力端子総数「５」が、また「い社」の機種「い−Ｂ」に対応付けて入力端子総数「３」がそれぞれ記憶されている。
【００４９】
呼接続制御に係わる制御機能及び遠隔制御信号を送信させるための制御機能は、以下のような各種処理を実行する。  
(1) テレビ電話端末用リモコンＲＣのテレビ電源ボタン２４１が押下されたことが赤外線リモコン受信部１１から通知されたときに、放送用テレビジョン受信機ＴＶの電源をオンさせるための指示をリモコンコード決定部１８へ出力する。  
(2) 電話番号の入力前に、テレビ電話端末用リモコンＲＣの発信ボタン２２１が押下されたことが赤外線リモコン受信部１１から通知されたとき、その通知を１回受け付けるごとに放送用テレビジョン受信機ＴＶの入力端子切替指示をリモコンコード決定部１８へ出力する。またそれと共に、上記発信ボタン２２１の押下の通知を１回受け付けるごとに、入力切替指示数カウンタ１２２のカウント値をインクリメントする。すなわち、電話番号の入力前におけるテレビ電話端末用リモコンＲＣの発信ボタン２２１の押下回数を入力切替指示数カウンタ１２２にカウントさせる。  
(3) 電話番号の入力後に、テレビ電話端末用リモコンＲＣの発信ボタン２２１が押下されたことが赤外線リモコン受信部１１から通知されたときに、上記入力された電話番号及び発信指示を呼（ＳＩＰ）制御部１３に通知する。  
(4) 着信呼出音の出力中に、テレビ電話端末用リモコンＲＣの着信ボタン２２２が押下されたことが赤外線リモコン受信部１１から通知されたとき、オフフック指示を呼（ＳＩＰ）制御部１３に通知する。  
(5) オフフック処理後に、テレビ電話端末用リモコンＲＣの着信ボタン２２２が押下されたことが赤外線リモコン受信部１１から通知されたとき、その通知を１回受け付けるごとに、放送用テレビジョン受信機ＴＶの入力端子切替指示をリモコンコード決定部１８へ出力する。またそれと共に、上記着信ボタン２２２の押下の通知を１回受け付けるごとに、上記入力切替指示数カウンタ１２２のカウント値をインクリメントする。すなわち、オフフック処理後におけるテレビ電話端末用リモコンＲＣの着信ボタン２２２の押下回数を入力切替指示数カウンタ１２２にカウントさせる。  
(6) テレビジョン電話通信終了後に、テレビ電話端末装置ＴＭＳに接続された放送用テレビジョン受信機ＴＶの機種を表す情報をテレビ機種保持メモリ１２３から読み出し、この読み出した機種を表す情報を検索キーとして上記入力端子総数検索テーブル１２４を検索し、上記放送用テレビジョン受信機ＴＶが保有する入力端子の総数を表す情報を読み出す。またそれと共に、入力切替指示数カウンタ１２２から、発信ボタン２２１又は着信ボタン２２２の押下回数のカウント値を読み出す。そして、上記入力端子総数から上記押下回数のカウント値を引き算し、この引き算後の値に相当する回数だけ、上記放送用テレビジョン受信機ＴＶの入力端子切替指示をリモコンコード決定部１８へ出力する。
(7) テレビ電話通信が開始される前の放送用テレビジョン受信機ＴＶの電源のオン／オフ状態を表す情報を内部メモリに保存しておき、テレビ電話通信終了後に、上記保存された電源のオン／オフ状態を表す情報をもとに、会議通話が開始される前の放送用テレビジョン受信機ＴＶの電源がオン状態であったかオフ状態であったかを判定する。そして、電源がオフだったと判定された場合に、上記(6) による入力端子切替指示の出力終了後に、放送用テレビジョン受信機ＴＶの電源をオフするための指示をリモコンコード決定部１８へ出力する。
【００５０】
リモコンコード決定部１８はリモコンコード生成処理部を備える。またこのリモコンコード決定部１８には、リモコンコード検索テーブル１２１が接続されている。リモコンコード検索テーブル１２１には、放送用テレビジョン受信機ＴＶのメーカ名を表す情報に対応付けて、電源をオン／オフさせるためのリモコンコードと、入力端子を切り替えるためのリモコンコードが格納されている。図４にその一例を示す。例えば、メーカ名「あ」社の放送用テレビジョン受信機ＴＶの電源をオン／オフさせるためのリモコンコードは“0x0A01”であり、入力端子を切り替えるためのリモコンコードは“0x0A02”である。
【００５１】
リモコンコード決定部１８は、上記アプリケーション制御部１２からテレビ機種保持メモリ１２３からに記憶されたメーカ名を表す情報を予め読み込んでおく。そして、アプリケーション制御部１２からリモコンコードの生成指示が送られた場合に、当該指示内容と上記メーカ名を表す情報をもとにリモコンテーブル検索テーブル１２１から該当するリモコンコードを読み出し、このリモコンコードを赤外線リモコン発光部ＲＯに供給して赤外線信号を送信させる。
【００５２】
次に、以上のように構成されたテレビ電話端末装置ＴＭＳを使用して、利用者Ａと利用者Ｂとの間でテレビ電話通信を行う場合の動作を説明する。図６はその動作手順を示すシーケンス図である。  
なお、本実施形態では利用者Ａがメーカ「あ」社の機種「あ−Ｃ」の放送用テレビジョン受信機を使用し、一方利用者Ｂがメーカ「い」社の機種「い−Ｂ」の放送用テレビジョン受信機を使用するものとして説明を行う。なお、この使用条件は後述する第２及び第３の実施形態においても同じである。
【００５３】
発呼側の利用者Ａは、テレビ電話端末用リモコンＲＣにおいて、先ずテレビ電源ボタン２４１を押下する（ステップＳ１）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【００５４】
このときリモコンコード決定部１８には、アプリケーション制御部１２からテレビ機種保持メモリ１２３に記憶されたメーカ名「あ」社を表す識別情報が予め与えられている。このため、リモコンコード決定部１８は、当該メーカ名「あ」社を表す識別情報と、上記アプリケーション制御部１２から送られたリモコンコードの生成指示に応じて、リモコンコード検索テーブル１２１から該当する電源制御用のリモコンコード“0x0A01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【００５５】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されているため、モニタ１には放送の受信映像が表示される。
【００５６】
次に利用者Ａは、テレビ電話端末用リモコンＲＣにおいて、発信ボタン２２１を押下する（ステップＳ２）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、電話番号の入力前に上記発信ボタン２２１の操作コードデータを受け取ったことから、当該発信ボタン２２１の操作を放送用テレビジョン受信機ＴＶの入力端子の切替指示と認識する。そして、この入力端子の切替を指示するためのリモコンコード生成指示をリモコンコード決定部１８へ出力する。また、このときアプリケーション制御部１２の入力端子初期化部１２５は、上記発信ボタン２２１の操作に応じて入力切替指示数カウンタ１２２のカウント値を１つインクリメントさせる。つまり、発信ボタン２２１の操作回数を表すカウント値を「０」から「１」に変更する。
【００５７】
リモコンコード決定部１８は、先に取得したメーカ名「あ」社を表す識別情報と、上記アプリケーション制御部１２から送られたリモコンコードの生成指示に応じて、リモコンコード検索テーブル１２１から該当するリモコンコード“0x0A02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が送信される。この赤外線信号をリモコン受信部３により受信すると、放送用テレビジョン受信機ＴＶではそれまでモニタ１に表示されていた放送受信映像に代わり、入力端子ＩＮ２に接続されたビデオデッキＶＤからの映像がモニタ１に表示される。
【００５８】
また、利用者Ａがテレビ電話端末用リモコンＲＣにおいて、発信ボタン２２１を再押下するか、又は押下し続けたとする（ステップＳ３）。この場合アプリケーション制御部１２は、赤外線リモコン受信部１１から上記発信ボタン２２１の操作を表すコードデータを受け取ると、これに応じて放送用テレビジョン受信機ＴＶの入力端子の切替を指示するためのリモコンコード生成指示をリモコンコード決定部１８へ再度出力する。またこのときアプリケーション制御部１２の入力端子初期化部１２５は、上記発信ボタン２２１の再操作に応じて入力切替指示数カウンタ１２２のカウント値をさらに１つインクリメントさせる。つまり、発信ボタン２２１の操作回数を表すカウント値を「１」から「２」に変更する。
【００５９】
上記リモコンコード生成指示が出力されると、リモコンコード決定部１８からは、入力端子の切替指示に対応するリモコンコード“0x0A02”が赤外線リモコン発光部ＲＯに供給され、これにより赤外線リモコン発光部ＲＯから放送用テレビジョン受信機ＴＶの入力端子の切替を指示する赤外線信号が再度送信される。したがって放送用テレビジョン受信機ＴＶでは、それまでモニタ１に表示されていたビデオデッキＶＤからの映像に代わり、入力端子ＩＮ３に接続されたテレビ電話端末ＴＭからの映像がモニタ１に表示される。
【００６０】
次に利用者Ａは、テレビ電話端末用リモコンＲＣにおいて、電話番号入力用ボタン２３を押下して利用者Ｂの電話番号を入力し、しかるのち発信ボタン２２１を押下する（ステップＳ４）。そうするとアプリケーション制御部１２は、電話番号の入力後に上記発信ボタン２２１の操作コードデータを受け取ったことから、当該発信ボタン２２１の操作を発信指示と認識し、当該発信指示を上記入力された電話番号と共に呼（ＳＩＰ）制御部１３に通知する。この結果、呼（ＳＩＰ）制御部１３ではＳＩＰによる発信処理が実行され、利用者Ｂのテレビジョン電話端末ＴＭに向けINVITEリクエストメッセージが送信される。
【００６１】
これに対し、着信側の利用者Ｂのテレビジョン電話端末ＴＭでは、以下のような動作が行われる。  
すなわち、呼（ＳＩＰ）制御部１３において上記INVITEリクエストメッセージを受信すると、アプリケーション制御部１２の制御の下でテレビジョン電話端末ＴＭに設けられたサウンダ（図示せず）から着信呼出音が発生される。そして、この状態で利用者Ｂが、テレビ電話端末用リモコンＲＣにおいて着信ボタン２２２を押下したとする（ステップＳ５）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、着信呼出音の出力中に上記着信ボタン２２２の操作コードデータを受け取ったことから、当該着信ボタン２２２の操作をオフフック指示と認識し、当該オフフック指示を呼（ＳＩＰ）制御部１３に通知する。この結果、呼（ＳＩＰ）制御部１３ではＳＩＰによる着信応答処理が実行され、利用者Ａのテレビジョン電話端末ＴＭに向け上記INVITEリクエストメッセージに対する応答である200 OKメッセージが送信される。
【００６２】
次に利用者Ｂは、テレビ電話端末用リモコンＲＣにおいて、テレビ電源ボタン２４１を押下する（ステップＳ６）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【００６３】
このときリモコンコード決定部１８には、アプリケーション制御部１２からテレビ機種保持メモリ１２３に記憶されたメーカ名「い」社を表す識別情報が予め与えられている。このため、リモコンコード決定部１８は、当該メーカ名「い」社を表す識別情報と、上記アプリケーション制御部１２から送られたリモコンコードの生成指示に応じて、リモコンコード検索テーブル１２１から該当するリモコンコード“0x0B01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【００６４】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されていれば、モニタ１には放送の受信映像が表示される。
【００６５】
次に利用者Ｂは、テレビ電話端末用リモコンＲＣにおいて、着信ボタン２２２を押下する（ステップＳ７）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、上記オフフック処理後に上記着信ボタン２２２の操作コードデータを受け取ったことから、当該着信ボタン２２２の操作を放送用テレビジョン受信機ＴＶの入力端子の切替指示と認識する。そして、この入力端子の切替を指示するためのリモコンコード生成指示をリモコンコード決定部１８へ出力する。またこのときアプリケーション制御部１２の入力端子初期化部１２５は、上記着信ボタン２２２の操作に応じて入力切替指示数カウンタ１２２のカウント値を１つインクリメントさせる。つまり、着信ボタン２２２の操作回数を表すカウント値を「０」から「１」に変更する。
【００６６】
リモコンコード決定部１８は、先に取得したメーカ名「い」社を表す識別情報と、上記アプリケーション制御部１２から送られたリモコンコードの生成指示に応じて、リモコンコード検索テーブル１２１から該当するリモコンコード“0x0B02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が送信される。この赤外線信号をリモコン受信部３により受信すると放送用テレビジョン受信機ＴＶでは、それまでモニタ１に表示されていた放送受信映像に代わり、入力端子ＩＮ２に接続されたビデオデッキＶＤからの映像がモニタ１に表示される。
【００６７】
さらに、利用者Ｂがテレビ電話端末用リモコンＲＣにおいて、着信ボタン２２２を再押下するか、又は押下し続けたとする（ステップＳ８）。この場合アプリケーション制御部１２は、赤外線リモコン受信部１１から上記着信ボタン２２２の操作を表すコードデータを受け取ると、これに応じて放送用テレビジョン受信機ＴＶの入力端子の切替を指示するためのリモコンコード生成指示をリモコンコード決定部１８へ再度出力する。また、このときアプリケーション制御部１２の入力端子初期化部１２５は、上記着信ボタン２２２の再操作に応じて入力切替指示数カウンタ１２２のカウント値をさらに１つインクリメントさせる。つまり、着信ボタン２２２の操作回数を表すカウント値を「１」から「２」に変更する。
【００６８】
上記リモコンコード生成指示が出力されると、リモコンコード決定部１８からは、入力端子の切替指示に対応するリモコンコード“0x0B02”が赤外線リモコン発光部ＲＯに供給され、これにより赤外線リモコン発光部ＲＯから放送用テレビジョン受信機ＴＶの入力端子の切替を指示する赤外線信号が再度送信される。この結果、放送用テレビジョン受信機ＴＶでは、それまでモニタ１に表示されていたビデオデッキＶＤからの映像に代わり、入力端子ＩＮ３に接続されたテレビ電話端末ＴＭからの映像がモニタ１に表示される。
【００６９】
かくして、以後発信側の利用者Ａと着信側の利用者Ｂとの間で、放送用テレビジョン受信機ＴＶのモニタ１を利用したテレビ電話通信が可能となる。なお、両者の受話音声は、それぞれのテレビ電話端末ＴＭにおいて音声処理部１６から音声出力端子１６２を介して放送用テレビジョン受信機ＴＶのスピーカ２に出力され、このスピーカ２から拡声出力される。また、通話相手の映像は、それぞれのテレビ電話端末ＴＭにおいて映像処理部１７から映像出力端子１７２を介して放送用テレビジョン受信機ＴＶのモニタ１へ出力され、表示される。
【００７０】
テレビ電話通信が終了し、例えば利用者Ｂがテレビ電話端末用リモコンＲＣにおいて、図示しない切断ボタン２２３を押下したとする（ステップＳ９）。そうするとアプリケーション制御部１２は、通信中に上記切断ボタンの操作コードデータを受け取ったことから、当該操作を切断指示と認識し、当該切断指示を呼（ＳＩＰ）制御部１３に通知する。この結果、呼（ＳＩＰ）制御部１３ではＳＩＰによる切断処理が実行され、利用者Ａのテレビジョン電話端末ＴＭに向けてBYEメッセージが送信される。
【００７１】
これに対し利用者Ａのテレビ電話端末ＴＭでは、呼（ＳＩＰ）制御部１３により上記BYEメッセージを受信すると、当該メッセージの内容をアプリケーション制御部１２に通知すると共に、上記BYEメッセージに対する応答である200 OKメッセージを利用者Ｂのテレビ電話を端末ＴＭへ返送する。利用者Ｂのテレビ電話端末ＴＭでは、上記200 OKメッセージを呼（ＳＩＰ）制御部１３により受信すると、当該メッセージの内容をアプリケーション制御部１２に伝える。
【００７２】
上記利用者Ａのテレビ電話端末ＴＭ及び利用者Ｂのテレビ電話を端末ＴＭでは、それぞれ上記BYEメッセージ及び200 OKメッセージが呼（ＳＩＰ）制御部１３により受信されると、アプリケーション制御部１２がそれぞれの放送用テレビジョン受信機ＴＶの入力端子の切替状態をテレビ電話通信を開始する前の状態に復旧させる処理と、電源をオフするための処理を以下のように実行する。
【００７３】
すなわち、先ずアプリケーション制御部１２の入力端子初期化部１２５は、テレビ電話端末装置ＴＭＳに接続されている放送用テレビジョン受信機ＴＶの機種を表す情報を、テレビ機種保持メモリ１２３から読み出す。例えば、利用者Ａのテレビ電話端末装置ＴＭＳでは「あ−Ｃ」を、また利用者Ｂのテレビ電話端末装置ＴＭＳでは「い−Ｂ」をそれぞれ読み出す。そして、この読み出された放送用テレビジョン受信機ＴＶの機種を表す情報を検索キーとして入力端子総数検索テーブル１２４を検索し、放送用テレビジョン受信機ＴＶが保有する入力端子総数を表す情報を読み出す。この検索により、利用者Ａのテレビ電話端末装置ＴＭＳでは図５に示すように入力端子総数「３」が、また利用者Ｂのテレビ電話端末装置ＴＭＳにおいても入力端子総数「３」がそれぞれ読み出される。また入力端子初期化部１２５は、入力切替指示数カウンタ１２２からカウント値を読み出す。ここでは、利用者Ａ及びＢの何れのテレビ電話端末装置ＴＭＳにおいても、カウント値「２」が読み出される。
【００７４】
次に入力端子初期化部１２５は、上記読み出された入力端子総数「３」から上記入力切替指示数カウンタ１２２のカウント値「２」を引き算し、この引き算後の値に相当する回数だけ、放送用テレビジョン受信機ＴＶの入力端子を切り替えるためのリモコンコード生成指示をリモコンコード決定部１８へ出力する。例えば、いまこの場合には、引き算後の値は「１」であるため、入力端子切替用のリモコンコード生成指示を１回だけリモコンコード決定部１８へ出力する。ただし、入力切替指示数カウンタ１２２のカウント値が入力端子総数を上回っている場合には、当該カウント値が入力端子総数以下になるまでカウント値から入力端子総数を差し引き、この差引き後の数を上記カウント値に置き換える。なお、上記リモコンコード生成指示の出力終了後に、入力切替指示数カウンタ１２２のカウント値をリセットして「０」にする。
【００７５】
リモコンコード決定部１８は、上記アプリケーション制御部１２から送られたリモコンコードの生成指示に応じて、リモコンコード検索テーブル１２１から該当するリモコンコードを読み出し、このリモコンコードを赤外線リモコン発光部ＲＯに供給する。例えば、利用者Ａのテレビ電話端末装置ＴＭＳでは図４に示すようにリモコンコード“0x0A02”を、また利用者Ｂのテレビ電話端末装置ＴＭＳではリモコンコード“0x0B02”をそれぞれ読み出して、赤外線リモコン発光部ＲＯに供給する。この結果、利用者Ａのテレビ電話端末装置ＴＭＳ及び利用者Ｂのテレビ電話端末装置ＴＭＳのいずれにおいても、赤外線リモコン発光部ＲＯからは放送用テレビジョン受信機ＴＶの入力端子の切替を指示する赤外線信号が１回送信される。したがって、利用者Ａの放送用テレビジョン受信機ＴＶ及び利用者Ｂの放送用テレビジョン受信機ＴＶの何れにおいても、入力端子が１回のみ切り替わり、この結果放送用テレビジョン受信機ＴＶの入力端子の選択状態はテレビ電話通信開始前の状態、つまり入力ソースとして放送受信映像が選択された状態に復旧する。
【００７６】
上記入力端子の切替復旧処理が終了するとアプリケーション制御部１２は、続いて放送用テレビジョン受信機ＴＶの電源復旧処理を以下のように実行する。すなわち、アプリケーション制御部１２は、上記会議通話が開始される前の放送用テレビジョン受信機ＴＶの電源のオン／オフ状態を表す情報を自己の内部メモリに保存している。そして、上記BYEメッセージ及び200 OKメッセージの受信が呼（ＳＩＰ）制御部１３から通知されると、上記内部メモリに保存された電源のオン／オフ状態を表す情報をもとに、テレビ電話通信が開始される前の放送用テレビジョン受信機ＴＶの電源がオン状態であったかオフ状態であったかを判定する。そして、電源がオフだったと判定された場合、つまり内部メモリに保存された電源のオン／オフ状態を表す情報が「電源オフ」の場合には、放送用テレビジョン受信機ＴＶの電源をオフさせるためのリモコンコード生成指示をリモコンコード決定部１８へ出力し、内部メモリに保存された電源のオン／オフ状態を表す情報を「電源オン」に初期化する。
【００７７】
リモコンコード決定部１８は、上記アプリケーション制御部１２から送られたリモコンコードの生成指示に応じて、リモコンコード検索テーブル１２１から該当する電源制御用のリモコンコード（利用者Ａのテレビジョン電話端末ＴＭであれば“0x0A01”、利用者Ｂの電話端末ＴＭであれば“0x0B01”）を読み出し、このリモコンコードを赤外線リモコン発光部ＲＯに供給する。この結果、赤外線リモコン発光部ＲＯからは、放送用テレビジョン受信機ＴＶの電源オフを指示する赤外線信号が送信される。この赤外線信号は放送用テレビジョン受信機ＴＶのリモコン受信部３で受信され、これに応じて放送用テレビジョン受信機ＴＶの電源はオフされる。  
すなわち、テレビ電話通話が開始される前に放送用テレビジョン受信機ＴＶの電源がオフ状態だった場合、テレビ電話通信終了後に放送用テレビジョン受信機ＴＶの電源は自動的にオフされる。
【００７８】
以上述べたように第１の実施形態では、電話番号の入力前にテレビ電話端末用リモコンＲＣの発信ボタン２２１が押下されたとき、その押下を１回受け付けるごとに放送用テレビジョン受信機ＴＶに対し赤外線リモコン発光部ＲＯから入力端子切替指示のための赤外線信号を送信するようにしている。また、着信に対するオフフック処理後に、テレビ電話端末用リモコンＲＣの着信ボタン２２２が押下されたとき、その通知を１回受け付けるごとに放送用テレビジョン受信機ＴＶに対し赤外線リモコン発光部ＲＯから入力端子切替指示のための赤外線信号を送信するようにしている。
【００７９】
したがって、発信時においても、また着信時においても、テレビ電話端末用リモコンＲＣの発信ボタン２２１及び着信ボタン２２２の操作により、放送用テレビジョン受信機ＴＶの入力端子の切替操作を行うことができる。すなわち、発信ボタン２２１及び着信ボタン２２２の操作により、発着信のための呼接続指示と放送用テレビジョン受信機ＴＶの入力ソースの切替指示の両方を自動的に識別して入力することが可能となる。このため、発信側の利用者Ａ及び着信側の利用者Ｂは、放送用テレビジョン受信機ＴＶのリモコンを別途操作して入力ソースを切り替える必要がなくなり、その分操作負担が軽減される。
【００８０】
また、上記入力端子の切替を目的とする発信ボタン２２１及び着信ボタン２２２の押下の回数を入力切替指示数カウンタ１２２でカウントして保持しておき、テレビ電話通信終了後に、放送用テレビジョン受信機ＴＶが保有する入力端子の総数から上記入力切替指示数カウンタ１２２に保持されたカウント値を引き算し、この引き算後の値に相当する回数だけ放送用テレビジョン受信機ＴＶに対し赤外線リモコン発光部ＲＯから入力端子切替指示のための赤外線信号を送信するようにしている。
【００８１】
したがって、会議通話終了後には、放送用テレビジョン受信機ＴＶの入力端子の切替状態を切替前の状態に復旧させるための赤外線信号が必要回数だけ自動送信されて、これにより放送用テレビジョン受信機ＴＶの入力端子の切替状態が会議通話前の状態に自動復旧される。このため、発信者及び着信者は会議通話終了後においても、放送用テレビジョン受信機ＴＶのリモートコントローラを別途操作して入力端子を切り替える必要がなくなる。
【００８２】
また第１の実施形態では、テレビ電話通信が開始される前の放送用テレビジョン受信機ＴＶの電源のオン／オフ状態を表す情報をアプリケーション制御部１２の内部メモリに保存しておき、呼切断処理が行われた場合に、上記内部メモリに保存された電源のオン／オフ状態を表す情報をもとに、テレビ電話通信が開始される前の放送用テレビジョン受信機ＴＶの電源がオン状態であったかオフ状態であったかを判定する。そして、電源がオフだったと判定された場合、つまり内部メモリに保存された電源のオン／オフ状態を表す情報が「電源オフ」の場合には、放送用テレビジョン受信機ＴＶの電源をオフさせるための赤外線信号を送信し、これにより放送用テレビジョン受信機ＴＶの電源をオフするようにしている。
【００８３】
したがって、テレビ電話通話が開始される前に放送用テレビジョン受信機ＴＶの電源がオフ状態だった場合には、テレビ電話通信終了後に放送用テレビジョン受信機ＴＶの電源は自動的にオフすることができる。この結果、利用者Ａ，Ｂはテレビ電話通信終了後に放送用テレビジョン受信機ＴＶのリモコンを別途操作して電源をオフする必要がなくなり、その分操作負担がさらに軽減される。
【００８４】
（第２の実施形態）  
この発明の第２の実施形態は、テレビ電話端末用リモコンＲＣに切替ボタンを新たに設け、この切替ボタンの操作に応じてテレビ電話端末ＴＭから放送用テレビジョン受信機ＴＶに対し赤外線信号を送信することにより放送用テレビジョン受信機ＴＶの入力端子の切替を可能にすると共に、テレビ電話通信終了後に放送用テレビジョン受信機ＴＶの入力端子の切替状態をテレビ電話通信前の状態に自動復旧させるようにしたものである。
【００８５】
図７は、この発明の第２の実施形態に係わるテレビ電話端末装置ＴＭＳで使用されるテレビ電話端末用リモコンＲＣの構成を示す図である。同図に示すように、テレビ電話端末用リモコンＲＣの操作面には、放送用テレビジョン操作用ボタン群２４′の１つとして切替ボタン２４２が設けてある。
なお、同図において前記図３と同一部分には同一符号を付して詳しい説明は省略する。また、テレビ電話端末ＴＭの構成については、前記図２と基本構成が同一であるため、図２を援用して構成の異なる部分についてのみ説明する。
【００８６】
テレビ電話端末ＴＭのアプリケーション制御部１２は、呼接続制御に係わる制御機能及び遠隔制御信号を送信させるための制御機能により、以下のような各種処理を実行する。  
(1) テレビ電話端末用リモコンＲＣのテレビ電源ボタン２４１が押下されたことが赤外線リモコン受信部１１から通知されたときに、放送用テレビジョン受信機ＴＶの電源をオンさせるための指示をリモコンコード決定部１８へ出力する。  
(2)発信ボタン２２１が押下される前に、テレビ電話端末用リモコンＲＣの切替ボタン２４２が押下されたことが赤外線リモコン受信部１１から通知されたとき、その通知を１回受け付けるごとに放送用テレビジョン受信機ＴＶの入力端子切替指示をリモコンコード決定部１８へ出力する。またそれと共に、上記切替ボタン２４２の押下の通知を１回受け付けるごとに、入力切替指示数カウンタ１２２のカウント値をインクリメントする。すなわち、テレビ電話端末用リモコンＲＣの切替ボタン２４２の押下回数を入力切替指示数カウンタ１２２にカウントさせる。  
(3) 電話番号の入力後に、テレビ電話端末用リモコンＲＣの発信ボタン２２１が押下されたことが赤外線リモコン受信部１１から通知されたときに、上記入力された電話番号及び発信指示を呼（ＳＩＰ）制御部１３に通知する。  
(4) 着信呼出音の出力中に、テレビ電話端末用リモコンＲＣの着信ボタン２２２が押下されたことが赤外線リモコン受信部１１から通知されたとき、オフフック指示を呼（ＳＩＰ）制御部１３に通知する。  
(5)上記着信ボタン２２２が押下される前に、テレビ電話端末用リモコンＲＣの切替ボタン２４２が押下されたことが赤外線リモコン受信部１１から通知されたとき、その通知を１回受け付けるごとに、放送用テレビジョン受信機ＴＶの入力端子切替指示をリモコンコード決定部１８へ出力する。またそれと共に、上記切替ボタン２４２の押下の通知を１回受け付けるごとに、入力切替指示数カウンタ１２２のカウント値をインクリメントする。すなわち、テレビ電話端末用リモコンＲＣの切替ボタン２４２の押下回数を入力切替指示数カウンタ１２２にカウントさせる。  
(6) テレビ電話通信終了後に、テレビ電話端末装置ＴＭＳに接続された放送用テレビジョン受信機ＴＶの機種を表す情報をテレビ機種保持メモリ１２３から読み出し、この読み出した機種を表す情報を検索キーとして上記入力端子総数検索テーブル１２４を検索し、上記放送用テレビジョン受信機ＴＶが保有する入力端子の総数を表す情報を読み出す。またそれと共に、入力切替指示数カウンタ１２２から、上記切替ボタン２４２の押下回数のカウント値を読み出す。そして、上記入力端子総数から上記押下回数のカウント値を引き算し、この引き算後の値に相当する回数だけ、上記放送用テレビジョン受信機ＴＶの入力端子切替指示をリモコンコード決定部１８へ出力する。  
(7) テレビ電話通信が開始される前の放送用テレビジョン受信機ＴＶの電源のオン／オフ状態を表す情報を内部メモリに保存しておき、テレビ電話通信終了後に、上記保存された電源のオン／オフ状態を表す情報をもとに、会議通話が開始される前の放送用テレビジョン受信機ＴＶの電源がオン状態であったかオフ状態であったかを判定する。そして、電源がオフだったと判定された場合に、上記(6) による入力端子切替指示の出力終了後に、放送用テレビジョン受信機ＴＶの電源をオフするための指示をリモコンコード決定部１８へ出力する。
【００８７】
次に、以上のように構成されたテレビ電話端末装置ＴＭＳを使用して、利用者Ａと利用者Ｂとの間でテレビ電話通信を行う場合の動作を説明する。図８はその動作手順を示すシーケンス図である。  
発呼側の利用者Ａは、テレビ電話端末用リモコンＲＣにおいて、先ずテレビ電源ボタン２４１を押下する（ステップＳ１）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【００８８】
このときリモコンコード決定部１８には、アプリケーション制御部１２からテレビ機種保持メモリ１２３に記憶されたメーカ名「あ」社を表す識別情報が予め与えられている。このため、リモコンコード決定部１８は、当該メーカ名「あ」社を表す識別情報と、上記アプリケーション制御部１２から送られたリモコンコードの生成指示に応じて、リモコンコード検索テーブル１２１から該当する電源制御用のリモコンコード“0x0A01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【００８９】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されているため、モニタ１には放送の受信映像が表示される。
【００９０】
次に利用者Ａは、テレビ電話端末用リモコンＲＣにおいて、切替ボタン２４２を押下する（ステップＳ２）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、上記切替ボタン２４２の操作コードデータから、当該操作を放送用テレビジョン受信機ＴＶの入力端子の切替指示と認識する。そして、この入力端子の切替を指示するためのリモコンコード生成指示をリモコンコード決定部１８へ出力する。また、このときアプリケーション制御部１２の入力端子初期化部１２５は、上記切替ボタン２４２の操作に応じて入力切替指示数カウンタ１２２のカウント値を１つインクリメントさせる。つまり、切替ボタン２４２の操作回数を表すカウント値を「０」から「１」に変更する。
【００９１】
リモコンコード決定部１８は、先に取得したメーカ名「あ」社を表す識別情報と、上記アプリケーション制御部１２から送られたリモコンコードの生成指示に応じて、リモコンコード検索テーブル１２１から該当する切替指示用のリモコンコード“0x0A02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が送信される。この赤外線信号をリモコン受信部３により受信すると、放送用テレビジョン受信機ＴＶではそれまでモニタ１に表示されていた放送受信映像に代わり、入力端子ＩＮ２に接続されたビデオデッキＶＤからの映像がモニタ１に表示される。
【００９２】
また、利用者Ａがテレビ電話端末用リモコンＲＣにおいて、切替ボタン２４２を再押下するか、又は押下し続けたとする（ステップＳ３）。この場合アプリケーション制御部１２は、赤外線リモコン受信部１１から上記切替ボタン２４２の操作を表すコードデータを受け取ると、これに応じて放送用テレビジョン受信機ＴＶの入力端子の切替を指示するためのリモコンコード生成指示をリモコンコード決定部１８へ再度出力する。またこのときアプリケーション制御部１２の入力端子初期化部１２５は、上記切替ボタン２４２の再操作に応じて入力切替指示数カウンタ１２２のカウント値をさらに１つインクリメントさせる。つまり、切替ボタン２４２の操作回数を表すカウント値を「１」から「２」に変更する。
【００９３】
上記リモコンコード生成指示が出力されると、リモコンコード決定部１８からは、入力端子の切替指示に対応するリモコンコード“0x0A02”が赤外線リモコン発光部ＲＯに供給され、これにより赤外線リモコン発光部ＲＯから放送用テレビジョン受信機ＴＶの入力端子の切替を指示する赤外線信号が再度送信される。したがって、放送用テレビジョン受信機ＴＶでは、それまでモニタ１に表示されていたビデオデッキＶＤからの映像に代わり、入力端子ＩＮ３に接続されたテレビ電話端末ＴＭからの映像がモニタ１に表示される。
【００９４】
次に利用者Ａは、テレビ電話端末用リモコンＲＣにおいて、電話番号入力用ボタン２３を押下して利用者Ｂの電話番号を入力し、しかるのち発信ボタン２２１を押下する（ステップＳ４）。そうするとアプリケーション制御部１２は、上記発信ボタン２２１の操作コードデータから当該操作を発信指示と認識し、当該発信指示を上記入力された電話番号と共に呼（ＳＩＰ）制御部１３に通知する。この結果、呼（ＳＩＰ）制御部１３ではＳＩＰによる発信処理が実行され、利用者Ｂのテレビジョン電話端末ＴＭに向けINVITEリクエストメッセージが送信される。
【００９５】
これに対し、着信側の利用者Ｂのテレビジョン電話端末ＴＭでは、以下のような動作が行われる。  
すなわち、呼（ＳＩＰ）制御部１３において上記INVITEリクエストメッセージを受信すると、アプリケーション制御部１２の制御の下でテレビジョン電話端末ＴＭに設けられたサウンダ（図示せず）から着信呼出音が発生される。そして、この状態で利用者Ｂが、テレビ電話端末用リモコンＲＣにおいてテレビ電源ボタン２４１を押下したとする（ステップＳ５）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【００９６】
このときリモコンコード決定部１８には、アプリケーション制御部１２からテレビ機種保持メモリ１２３に記憶されたメーカ名「い」社を表す識別情報が予め与えられている。このため、リモコンコード決定部１８は、当該メーカ名「い」社を表す識別情報と、上記アプリケーション制御部１２から送られたリモコンコードの生成指示に応じて、リモコンコード検索テーブル１２１から該当するリモコンコード“0x0B01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【００９７】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されていれば、モニタ１には放送の受信映像が表示される。
【００９８】
次に、利用者Ｂは、テレビ電話端末用リモコンＲＣにおいて切替ボタン２４２を押下する（ステップＳ６）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、上記切替ボタン２４２の操作コードデータから当該操作を放送用テレビジョン受信機ＴＶの入力端子の切替指示と認識する。そして、この入力端子の切替を指示するためのリモコンコード生成指示をリモコンコード決定部１８へ出力する。またこのときアプリケーション制御部１２の入力端子初期化部１２５は、上記切替ボタン２４２の操作に応じて入力切替指示数カウンタ１２２のカウント値を１つインクリメントさせる。つまり、切替ボタン２４２の操作回数を表すカウント値を「０」から「１」に変更する。
【００９９】
リモコンコード決定部１８は、先に取得したメーカ名「い」社を表す識別情報と、上記アプリケーション制御部１２から送られたリモコンコードの生成指示に応じて、リモコンコード検索テーブル１２１から該当する入力端子切替指示用のリモコンコード“0x0B02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が送信される。この赤外線信号をリモコン受信部３により受信すると放送用テレビジョン受信機ＴＶでは、それまでモニタ１に表示されていた放送受信映像に代わり、入力端子ＩＮ２に接続されたビデオデッキＶＤからの映像がモニタ１に表示される。
【０１００】
さらに、利用者Ｂがテレビ電話端末用リモコンＲＣにおいて、切替ボタン２４２を再押下するか、又は押下し続けたとする（ステップＳ７）。この場合アプリケーション制御部１２は、赤外線リモコン受信部１１から上記切替ボタン２４２の操作を表すコードデータを受け取ると、これに応じて放送用テレビジョン受信機ＴＶの入力端子の切替を指示するためのリモコンコード生成指示をリモコンコード決定部１８へ再度出力する。また、このときアプリケーション制御部１２の入力端子初期化部１２５は、上記着信ボタン２２２の再操作に応じて入力切替指示数カウンタ１２２のカウント値をさらに１つインクリメントさせる。つまり、着信ボタン２２２の操作回数を表すカウント値を「１」から「２」に変更する。
【０１０１】
上記リモコンコード生成指示が出力されると、リモコンコード決定部１８からは、入力端子の切替指示に対応するリモコンコード“0x0B02”が赤外線リモコン発光部ＲＯに供給され、これにより赤外線リモコン発光部ＲＯから放送用テレビジョン受信機ＴＶの入力端子の切替を指示する赤外線信号が再度送信される。この結果、放送用テレビジョン受信機ＴＶでは、それまでモニタ１に表示されていたビデオデッキＶＤからの映像に代わり、入力端子ＩＮ３に接続されたテレビ電話端末ＴＭからの映像、例えば発呼元の利用者Ａの電話番号などがモニタ１に表示される。
【０１０２】
さて、この状態で利用者Ｂは、テレビ電話端末用リモコンＲＣにおいて着信ボタン２２２を押下する（ステップＳ８）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、当該コードデータから当該操作をオフフック指示と認識し、当該オフフック指示を呼（ＳＩＰ）制御部１３に通知する。この結果、呼（ＳＩＰ）制御部１３ではＳＩＰによる着信応答処理が実行され、利用者Ａのテレビジョン電話端末ＴＭに向け上記INVITEリクエストメッセージに対する応答である200 OKメッセージが送信される。
【０１０３】
かくして、以後発信側の利用者Ａと着信側の利用者Ｂとの間で、放送用テレビジョン受信機ＴＶのモニタ１を利用したテレビ電話通信が可能となる。なお、両者の受話音声は、それぞれのテレビ電話端末ＴＭにおいて音声処理部１６から音声出力端子１６２を介して放送用テレビジョン受信機ＴＶのスピーカ２に出力され、このスピーカ２から拡声出力される。また、通話相手の映像は、それぞれのテレビ電話端末ＴＭにおいて映像処理部１７から映像出力端子１７２を介して放送用テレビジョン受信機ＴＶのモニタ１へ出力され、表示される。
【０１０４】
なお、テレビ電話通信終了後に、利用者Ａ及び利用者Ｂの各テレビ電話端末ＴＭ間で行われる呼切断処理は前記第１の実施形態と同じである。  
ただし、本実施形態においても前記第１の実施形態と同様に、上記呼切断処理に続いて、上記利用者Ａのテレビ電話端末ＴＭ及び利用者Ｂのテレビ電話を端末ＴＭでは、アプリケーション制御部１２により放送用テレビジョン受信機ＴＶの入力端子の切替状態をテレビ電話通信を開始する前の状態に復旧させる処理と、電源をオフするための処理が以下のように実行される。
【０１０５】
すなわち、先ずアプリケーション制御部１２の入力端子初期化部１２５は、テレビ電話端末装置ＴＭＳに接続されている放送用テレビジョン受信機ＴＶの機種を表す情報を、テレビ機種保持メモリ１２３から読み出す。例えば、利用者Ａのテレビ電話端末装置ＴＭＳでは「あ−Ｃ」を、また利用者Ｂのテレビ電話端末装置ＴＭＳでは「い−Ｂ」をそれぞれ読み出す。そして、この読み出された放送用テレビジョン受信機ＴＶの機種を表す情報を検索キーとして入力端子総数検索テーブル１２４を検索し、放送用テレビジョン受信機ＴＶが保有する入力端子総数を表す情報を読み出す。この検索により、利用者Ａのテレビ電話端末装置ＴＭＳでは図５に示すように入力端子総数「３」が、また利用者Ｂのテレビ電話端末装置ＴＭＳにおいても入力端子総数「３」がそれぞれ読み出される。また入力端子初期化部１２５は、入力切替指示数カウンタ１２２からカウント値を読み出す。ここでは、利用者Ａ及びＢの何れのテレビ電話端末装置ＴＭＳにおいても、カウント値「２」が読み出される。
【０１０６】
次に入力端子初期化部１２５は、上記読み出された入力端子総数「３」から上記入力切替指示数カウンタ１２２のカウント値「２」を引き算し、この引き算後の値に相当する回数だけ、放送用テレビジョン受信機ＴＶの入力端子を切り替えるためのリモコンコード生成指示をリモコンコード決定部１８へ出力する。例えば、いまこの場合には、引き算後の値は「１」であるため、入力端子切替用のリモコンコード生成指示を１回だけリモコンコード決定部１８へ出力する。ただし、入力切替指示数カウンタ１２２のカウント値が入力端子総数を上回っている場合には、当該カウント値が入力端子総数以下になるまでカウント値から入力端子総数を差し引き、この差引き後の数を上記カウント値に置き換える。なお、上記リモコンコード生成指示の出力終了後に、入力切替指示数カウンタ１２２のカウント値をリセットして「０」にする。
【０１０７】
リモコンコード決定部１８は、上記アプリケーション制御部１２から送られたリモコンコードの生成指示に応じて、リモコンコード検索テーブル１２１から該当するリモコンコードを読み出し、このリモコンコードを赤外線リモコン発光部ＲＯに供給する。例えば、利用者Ａのテレビ電話端末装置ＴＭＳでは図４に示すようにリモコンコード“0x0A02”を、また利用者Ｂのテレビ電話端末装置ＴＭＳではリモコンコード“0x0B02”をそれぞれ読み出して、赤外線リモコン発光部ＲＯに供給する。この結果、利用者Ａのテレビ電話端末装置ＴＭＳ及び利用者Ｂのテレビ電話端末装置ＴＭＳのいずれにおいても、赤外線リモコン発光部ＲＯからは放送用テレビジョン受信機ＴＶの入力端子の切替を指示する赤外線信号が１回送信される。したがって、利用者Ａの放送用テレビジョン受信機ＴＶ及び利用者Ｂの放送用テレビジョン受信機ＴＶの何れにおいても、入力端子が１回のみ切り替わり、この結果放送用テレビジョン受信機ＴＶの入力端子の選択状態はテレビ電話通信開始前の状態、つまり入力ソースとして放送受信映像が選択された状態に復旧する。
【０１０８】
上記入力端子の切替復旧処理が終了するとアプリケーション制御部１２は、続いて放送用テレビジョン受信機ＴＶの電源復旧処理を以下のように実行する。すなわち、アプリケーション制御部１２は、上記会議通話が開始される前の放送用テレビジョン受信機ＴＶの電源のオン／オフ状態を表す情報を自己の内部メモリに保存している。そして、上記BYEメッセージ及び200 OKメッセージの受信が呼（ＳＩＰ）制御部１３から通知されると、上記内部メモリに保存された電源のオン／オフ状態を表す情報をもとに、テレビ電話通信が開始される前の放送用テレビジョン受信機ＴＶの電源がオン状態であったかオフ状態であったかを判定する。そして、電源がオフだったと判定された場合、つまり内部メモリに保存された電源のオン／オフ状態を表す情報が「電源オフ」の場合には、放送用テレビジョン受信機ＴＶの電源をオフさせるためのリモコンコード生成指示をリモコンコード決定部１８へ出力し、内部メモリに保存された電源のオン／オフ状態を表す情報を「電源オン」に初期化する。
【０１０９】
リモコンコード決定部１８は、上記アプリケーション制御部１２から送られたリモコンコードの生成指示に応じて、リモコンコード検索テーブル１２１から該当する電源制御用のリモコンコード（利用者Ａのテレビジョン電話端末ＴＭであれば“0x0A01”、利用者Ｂの電話端末ＴＭであれば“0x0B01”）を読み出し、このリモコンコードを赤外線リモコン発光部ＲＯに供給する。この結果、赤外線リモコン発光部ＲＯからは、放送用テレビジョン受信機ＴＶの電源オフを指示する赤外線信号が送信される。この赤外線信号は放送用テレビジョン受信機ＴＶのリモコン受信部３で受信され、これに応じて放送用テレビジョン受信機ＴＶの電源はオフされる。  
すなわち、テレビ電話通話が開始される前に放送用テレビジョン受信機ＴＶの電源がオフ状態だった場合、テレビ電話通信終了後に放送用テレビジョン受信機ＴＶの電源は自動的にオフされる。
【０１１０】
以上述べたように第２の実施形態では、発信操作前にテレビ電話端末用リモコンＲＣの切替ボタン２４２が押下されたとき、その押下を１回受け付けるごとに放送用テレビジョン受信機ＴＶに対し赤外線リモコン発光部ＲＯから入力端子切替のための赤外線信号を送信するようにしている。また、着信呼出中にテレビ電話端末用リモコンＲＣの切替ボタン２４２が押下されたとき、その通知を１回受け付けるごとに放送用テレビジョン受信機ＴＶに対し赤外線リモコン発光部ＲＯから入力端子切替指示のための赤外線信号を送信するようにしている。
【０１１１】
したがって、発信時においても、また着信時においても、テレビ電話端末用リモコンＲＣの切替ボタン２４２の操作により、放送用テレビジョン受信機ＴＶの入力端子の切替操作を行うことができる。すなわち、発信時においてもまた着信時においても、常に切替ボタン２４２の操作のみで、放送用テレビジョン受信機ＴＶの入力端子の切替指示操作を行うことが可能となる。このため、発信側の利用者Ａ及び着信側の利用者Ｂは、放送用テレビジョン受信機ＴＶのリモコンを別途操作して入力端子を切り替える必要がなくなり、その分操作負担が軽減される。また、着呼側でオフフックするかどうか、つまり電話に出るかどうかを、モニタ１に表示された発呼元の電話番号をみて判断することができる。さらに、通話前、通話中及び通話後の何れの時間帯においても入力端子の切り替えが可能となる。
【０１１２】
また、テレビ電話通信開始前に行われた切替ボタン２４２の押下の回数を入力切替指示数カウンタ１２２でカウントして保持しておき、テレビ電話通信終了後に、放送用テレビジョン受信機ＴＶが保有する入力端子の総数から上記入力切替指示数カウンタ１２２に保持されたカウント値を引き算し、この引き算後の値に相当する回数だけ放送用テレビジョン受信機ＴＶに対し赤外線リモコン発光部ＲＯから入力端子切替指示のための赤外線信号を送信するようにしている。
【０１１３】
したがって、会議通話終了後には、放送用テレビジョン受信機ＴＶの入力端子の切替状態を切替前の状態に復旧させるための赤外線信号が必要回数だけ自動送信されて、これにより放送用テレビジョン受信機ＴＶの入力端子の切替状態が会議通話前の状態に自動復旧される。このため、発信者及び着信者は会議通話終了後においても、放送用テレビジョン受信機ＴＶのリモートコントローラを別途操作して入力端子を切り替える必要がなくなる。
【０１１４】
また本実施形態においても、前記第１の実施形態と同様に、テレビ電話通話が開始される前に放送用テレビジョン受信機ＴＶの電源がオフ状態だった場合には、テレビ電話通信終了後に放送用テレビジョン受信機ＴＶの電源は自動的にオフすることができる。この結果、利用者Ａ，Ｂはテレビ電話通信終了後に放送用テレビジョン受信機ＴＶのリモコンを別途操作して電源をオフする必要がなくなり、その分操作負担がさらに軽減される。
【０１１５】
（第３の実施形態）  
この発明の第３の実施形態は、発信時において、電話番号入力前に発信ボタンが操作された場合に、放送用テレビジョン受信機ＴＶの入力端子を切り替えるためのリモコンコードを生成し、この生成されたリモコンコードをもとに、テレビ電話端末ＴＭが接続された入力端子を選択するために必要な回数だけ赤外線リモコン発光部ＲＯから赤外線信号を繰り返し送信させると共に、その送信必要回数を保持する。また、着信時においては、着信呼出中に着信ボタンが操作された場合に、オフフック処理を呼（ＳＩＰ）制御部１３で行わせると共に、放送用テレビジョン受信機ＴＶの入力端子を切り替えるためのリモコンコードを生成し、この生成されたリモコンコードをもとに、テレビ電話端末ＴＭが接続された入力端子を選択するために必要な回数だけ赤外線リモコン発光部ＲＯから赤外線信号を繰り返し送信させると共に、その送信必要回数を保持する。さらに、テレビ電話通信終了後においては、上記保持された必要回数をもとに赤外線リモコン発光部ＲＯから赤外線信号を送信させることにより、放送用テレビジョン受信機ＴＶの入力端子の切替状態をテレビ電話通信前の状態に自動復旧させるようにしたものである。
なお、本実施形態においても、テレビ電話端末ＴＭの構成については、前記図２と基本構成が同一であるため、図２を援用して構成の異なる部分についてのみ説明する。
【０１１６】
テレビ電話端末ＴＭのアプリケーション制御部１２は、呼接続制御に係わる制御機能及び遠隔制御信号を送信させるための制御機能により、以下のような各種処理を実行する。  
(1) テレビ電話端末用リモコンＲＣのテレビ電源ボタン２４１が押下されたことが赤外線リモコン受信部１１から通知されたときに、放送用テレビジョン受信機ＴＶの電源をオンさせるための指示をリモコンコード決定部１８へ出力する。  
(2) 電話番号の入力前に、テレビ電話端末用リモコンＲＣの発信ボタン２２１が押下されたことが赤外線リモコン受信部１１から通知されたとき、放送用テレビジョン受信機ＴＶの入力端子切替指示を予め決められた回数だけリモコンコード決定部１８へ繰り返し出力する。またそれと共に、上記入力端子切替指示を１つ出力するごとに入力切替指示数カウンタ１２２のカウント値をインクリメントする。すなわち、入力端子切替指示の出力回数を入力切替指示数カウンタ１２２にカウントさせる。上記入力端子切替指示の繰り返し送信回数は、放送用テレビジョン受信機ＴＶにおいてテレビ電話端末ＴＭが接続された入力端子が選択されるまでに必要な送信回数に設定される。なお、上記回数は、テレビ電話端末ＴＭの初期設定時において利用者により設定される。  
(3) 電話番号の入力後に、テレビ電話端末用リモコンＲＣの発信ボタン２２１が押下されたことが赤外線リモコン受信部１１から通知されたときに、上記入力された電話番号及び発信指示を呼（ＳＩＰ）制御部１３に通知する。  
(4) 着信呼出音の出力中に、テレビ電話端末用リモコンＲＣの着信ボタン２２２が押下されたことが赤外線リモコン受信部１１から通知されたとき、オフフック指示を呼（ＳＩＰ）制御部１３に通知する。またそれと並行して、放送用テレビジョン受信機ＴＶの入力端子切替指示を予め決められた回数だけリモコンコード決定部１８へ繰り返し出力する。またそれと共に、上記入力端子切替指示を１つ出力するごとに入力切替指示数カウンタ１２２のカウント値をインクリメントする。すなわち、入力端子切替指示の出力回数を入力切替指示数カウンタ１２２にカウントさせる。上記入力端子切替指示の繰り返し出力回数は、放送用テレビジョン受信機ＴＶにおいてテレビ電話端末ＴＭが接続された入力端子が選択されるまでに必要な送信回数に設定される。なお、上記回数は、テレビ電話端末ＴＭの初期設定時において利用者により設定される。  
(5) テレビ電話通信終了後に、テレビ電話端末装置ＴＭＳに接続された放送用テレビジョン受信機ＴＶの機種を表す情報をテレビ機種保持メモリ１２３から読み出し、この読み出した機種を表す情報を検索キーとして上記入力端子総数検索テーブル１２４を検索し、上記放送用テレビジョン受信機ＴＶが保有する入力端子の総数を表す情報を読み出す。またそれと共に、入力切替指示数カウンタ１２２から、上記入力端子切替指示の出力回数のカウント値を読み出す。そして、上記入力端子総数から上記出力回数のカウント値を引き算し、この引き算後の値に相当する回数だけ、上記放送用テレビジョン受信機ＴＶの入力端子切替指示をリモコンコード決定部１８へ出力する。
(6) テレビ電話通信が開始される前の放送用テレビジョン受信機ＴＶの電源のオン／オフ状態を表す情報を内部メモリに保存しておき、テレビ電話通信終了後に、上記保存された電源のオン／オフ状態を表す情報をもとに、会議通話が開始される前の放送用テレビジョン受信機ＴＶの電源がオン状態であったかオフ状態であったかを判定する。そして、電源がオフだったと判定された場合に、上記(7) による入力端子切替指示の出力終了後に、放送用テレビジョン受信機ＴＶの電源をオフするための指示をリモコンコード決定部１８へ出力する。
【０１１７】
次に、以上のように構成されたテレビ電話端末装置ＴＭＳを使用して、利用者Ａと利用者Ｂとの間でテレビ電話通信を行う場合の動作を説明する。図９はその動作手順を示すシーケンス図である。  
発呼側の利用者Ａは、テレビ電話端末用リモコンＲＣにおいて、先ずテレビ電源ボタン２４１を押下する（ステップＳ１）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【０１１８】
このときリモコンコード決定部１８には、アプリケーション制御部１２からテレビ機種保持メモリ１２３に記憶されたメーカ名「あ」社を表す識別情報が予め与えられている。このため、リモコンコード決定部１８は、当該メーカ名「あ」社を表す識別情報と、上記アプリケーション制御部１２から送られたリモコンコードの生成指示に応じて、リモコンコード検索テーブル１２１から該当する電源制御用のリモコンコード“0x0A01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【０１１９】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されているため、モニタ１には放送の受信映像が表示される。
【０１２０】
次に利用者Ａは、テレビ電話端末用リモコンＲＣにおいて、発信ボタン２２１を押下する（ステップＳ２）。そうすると、テレビ電話端末用リモコンＲＣから送信された赤外線信号が赤外線リモコン受信部１１で受信されてそのコードデータがアプリケーション制御部１２に通知される。このときアプリケーション制御部１２は、電話番号の入力前に上記発信ボタン２２１の操作コードデータを受け取ったことから、当該発信ボタン２２１の操作を放送用テレビジョン受信機ＴＶの入力端子の切替指示と認識する。そして、この入力端子の切替を指示するためのリモコンコード生成指示を、予め決められた回数、つまり放送用テレビジョン受信機ＴＶにおいてテレビ電話端末ＴＭが接続された入力端子が選択されるまでに必要な回数（本実施形態では「２回」）だけ、繰り返しリモコンコード決定部１８へ出力する。またこのとき、上記入力端子切替指示を１つ出力するごとに入力切替指示数カウンタ１２２のカウント値をインクリメントする。
【０１２１】
リモコンコード決定部１８は、上記アプリケーション制御部１２から入力端子の切替を指示するリモコンコード生成指示が供給されるごとに、当該リモコンコード生成指示と、先に取得したメーカ名「あ」社を表す識別情報とに応じて、リモコンコード検索テーブル１２１から該当するリモコンコード“0x0A02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が、上記予め決められた回数だけ繰り返し送信される。  
上記放送用テレビジョン受信機ＴＶでは、上記赤外線信号をリモコン受信部３で受信するごとに、入力端子の選択がＩＮ１からＩＮ２へ、さらにＩＮ２からＩＮ３へと切り替わる。したがって、モニタ１には、入力端子ＩＮ３に接続されたテレビ電話端末ＴＭからの映像がモニタ１に表示される。
【０１２２】
次に利用者Ａは、テレビ電話端末用リモコンＲＣにおいて、電話番号入力用ボタン２３を押下して利用者Ｂの電話番号を入力し、しかるのち発信ボタン２２１を押下する（ステップＳ３）。そうするとアプリケーション制御部１２は、電話番号の入力後に上記発信ボタン２２１の操作コードデータを受け取ったことから、当該発信ボタン２２１の操作を発信指示と認識し、当該発信指示を上記入力された電話番号と共に呼（ＳＩＰ）制御部１３に通知する。この結果、呼（ＳＩＰ）制御部１３ではＳＩＰによる発信処理が実行され、利用者Ｂのテレビジョン電話端末ＴＭに向けINVITEリクエストメッセージが送信される。
【０１２３】
一方、着信側の利用者Ｂのテレビジョン電話端末ＴＭでは、以下のような動作が行われる。  
すなわち、呼（ＳＩＰ）制御部１３において上記INVITEリクエストメッセージを受信すると、アプリケーション制御部１２の制御の下でテレビジョン電話端末ＴＭに設けられたサウンダ（図示せず）から着信呼出音が発生される。
【０１２４】
この状態で利用者Ｂが、テレビ電話端末用リモコンＲＣにおいてテレビ電源ボタン２４１を押下する（ステップＳ４）。そうすると、テレビ電話端末用リモコンＲＣから送信された赤外線信号が赤外線リモコン受信部１１で受信されてそのコードデータがアプリケーション制御部１２に通知される。アプリケーション制御部１２は、上記コードデータを受け取ると、放送用テレビジョン受信機ＴＶの電源をオンさせるためのリモコンコード生成指示をリモコンコード決定部１８へ出力し、内部メモリに保存された電源のオン／オフ状態を表す情報を「電源オフ」に設定する。なお、以後上記テレビ電源ボタン２４１が押下されるごとに、上記電源のオン／オフ状態を表す情報は「電源オン」と「電源オフ」との間で交互に設定される。
【０１２５】
このときリモコンコード決定部１８には、アプリケーション制御部１２からテレビ機種保持メモリ１２３に記憶されたメーカ名「い」社を表す識別情報が予め与えられている。このため、リモコンコード決定部１８は、当該メーカ名「い」社を表す識別情報と、上記アプリケーション制御部１２から送られたリモコンコードの生成指示に応じて、リモコンコード検索テーブル１２１から該当するリモコンコード“0x0B01”を読み出し、このリモコンコードを赤外線リモコン発光部ＲＯに供給する。この結果、赤外線リモコン発光部ＲＯからは、放送用テレビジョン受信機ＴＶの電源オンを指示する赤外線信号が送信される。
【０１２６】
この赤外線信号は放送用テレビジョン受信機ＴＶのリモコン受信部３で受信され、これに応じて放送用テレビジョン受信機ＴＶの電源がオンとなる。このとき、放送用テレビジョン受信機ＴＶでは、入力端子ＩＮ１の放送信号が入力ソースとしてデフォルト設定されているため、モニタ１には放送の受信映像が表示される。
【０１２７】
次に利用者Ｂは、テレビ電話端末用リモコンＲＣにおいて、着信ボタン２２２を押下する（ステップＳ５）。そうすると、テレビ電話端末用リモコンＲＣから送信された赤外線信号が赤外線リモコン受信部１１で受信されてそのコードデータがアプリケーション制御部１２に通知される。上記着信ボタン２２２の操作コードデータが通知されるとアプリケーション制御部１２は、先ずオフフック指示を呼（ＳＩＰ）制御部１３に通知する。この結果、呼（ＳＩＰ）制御部１３によりオフフック処理が行われ、これにより発呼側のテレビ電話端末に対し、先に受信したINVITEリクエストメッセージに対する応答である200 OKメッセージが返送される。
【０１２８】
またアプリケーション制御部１２は、上記オフフック処理の指示と並行して、放送用テレビジョン受信機ＴＶの入力端子切替指示を予め決められた回数、つまり放送用テレビジョン受信機ＴＶにおいてテレビ電話端末ＴＭが接続された入力端子が選択されるまでに必要な回数（本実施形態では「２回」）だけ、繰り返しリモコンコード決定部１８へ出力する。またこのとき、上記入力端子切替指示を１つ出力するごとに入力切替指示数カウンタ１２２のカウント値をインクリメントする。
【０１２９】
リモコンコード決定部１８は、上記アプリケーション制御部１２から入力端子の切替を指示するリモコンコード生成指示が供給されるごとに、当該リモコンコード生成指示と、先に取得したメーカ名「い」社を表す識別情報とに応じて、リモコンコード検索テーブル１２１から該当するリモコンコード“0x0B02”を読み出し、このリモコンコードを赤外線リモコン発光部ＲＯに供給する。この結果、赤外線リモコン発光部ＲＯからは、放送用テレビジョン受信機ＴＶの入力端子の切替を指示する赤外線信号が、上記予め決められた回数だけ繰り返し送信される。  
上記放送用テレビジョン受信機ＴＶでは、上記赤外線信号をリモコン受信部３で受信するごとに、入力端子の選択がＩＮ１からＩＮ２へ、さらにＩＮ２からＩＮ３へと切り替わる。したがって、モニタ１には、入力端子ＩＮ３に接続されたテレビ電話端末ＴＭからの映像、例えば発呼元の利用者Ａの電話番号などがモニタ１に表示される。
【０１３０】
かくして、以後発信側の利用者Ａと着信側の利用者Ｂとの間で、放送用テレビジョン受信機ＴＶのモニタ１を利用したテレビ電話通信が可能となる。なお、両者の受話音声は、それぞれのテレビ電話端末ＴＭにおいて音声処理部１６から音声出力端子１６２を介して放送用テレビジョン受信機ＴＶのスピーカ２に出力され、このスピーカ２から拡声出力される。また、通話相手の映像は、それぞれのテレビ電話端末ＴＭにおいて映像処理部１７から映像出力端子１７２を介して放送用テレビジョン受信機ＴＶのモニタ１へ出力され、表示される。  
【０１３１】
なお、テレビ電話通信終了後に、利用者Ａ及び利用者Ｂの各テレビ電話端末ＴＭ間で行われる呼切断処理は前記第１の実施形態と同じである。  
ただし、本実施形態においても、前記第１及び第２の実施形態と同様に、上記呼切断処理に続いて、上記利用者Ａのテレビ電話端末ＴＭ及び利用者Ｂのテレビ電話端末ＴＭでは、アプリケーション制御部１２により放送用テレビジョン受信機ＴＶの入力端子の切替状態をテレビ電話通信を開始する前の状態に復旧させる処理と、電源をオフするための処理が以下のように実行される。
【０１３２】
すなわち、先ずアプリケーション制御部１２の入力端子初期化部１２５は、テレビ電話端末装置ＴＭＳに接続されている放送用テレビジョン受信機ＴＶの機種を表す情報を、テレビ機種保持メモリ１２３から読み出す。例えば、利用者Ａのテレビ電話端末装置ＴＭＳでは「あ−Ｃ」を、また利用者Ｂのテレビ電話端末装置ＴＭＳでは「い−Ｂ」をそれぞれ読み出す。そして、この読み出された放送用テレビジョン受信機ＴＶの機種を表す情報を検索キーとして入力端子総数検索テーブル１２４を検索し、放送用テレビジョン受信機ＴＶが保有する入力端子総数を表す情報を読み出す。この検索により、利用者Ａのテレビ電話端末装置ＴＭＳでは図５に示すように入力端子総数「３」が、また利用者Ｂのテレビ電話端末装置ＴＭＳにおいても入力端子総数「３」がそれぞれ読み出される。また入力端子初期化部１２５は、入力切替指示数カウンタ１２２からカウント値を読み出す。ここでは、利用者Ａ及びＢの何れのテレビ電話端末装置ＴＭＳにおいても、カウント値「２」が読み出される。
【０１３３】
次に入力端子初期化部１２５は、上記読み出された入力端子総数「３」から上記入力切替指示数カウンタ１２２のカウント値「２」を引き算し、この引き算後の値に相当する回数だけ、放送用テレビジョン受信機ＴＶの入力端子を切り替えるためのリモコンコード生成指示をリモコンコード決定部１８へ出力する。例えば、いまこの場合には、引き算後の値は「１」であるため、入力端子切替用のリモコンコード生成指示を１回だけリモコンコード決定部１８へ出力する。ただし、入力切替指示数カウンタ１２２のカウント値が入力端子総数を上回っている場合には、当該カウント値が入力端子総数以下になるまでカウント値から入力端子総数を差し引き、この差引き後の数を上記カウント値に置き換える。なお、上記リモコンコード生成指示の出力終了後に、入力切替指示数カウンタ１２２のカウント値をリセットして「０」にする。
【０１３４】
リモコンコード決定部１８は、上記アプリケーション制御部１２から送られたリモコンコードの生成指示に応じて、リモコンコード検索テーブル１２１から該当するリモコンコードを読み出し、このリモコンコードを赤外線リモコン発光部ＲＯに供給する。例えば、利用者Ａのテレビ電話端末装置ＴＭＳでは図４に示すようにリモコンコード“0x0A02”を、また利用者Ｂのテレビ電話端末装置ＴＭＳではリモコンコード“0x0B02”をそれぞれ読み出して、赤外線リモコン発光部ＲＯに供給する。この結果、利用者Ａのテレビ電話端末装置ＴＭＳ及び利用者Ｂのテレビ電話端末装置ＴＭＳのいずれにおいても、赤外線リモコン発光部ＲＯからは放送用テレビジョン受信機ＴＶの入力端子の切替を指示する赤外線信号が１回送信される。したがって、利用者Ａの放送用テレビジョン受信機ＴＶ及び利用者Ｂの放送用テレビジョン受信機ＴＶの何れにおいても、入力端子が１回のみ切り替わり、この結果放送用テレビジョン受信機ＴＶの入力端子の選択状態はテレビ電話通信開始前の状態、つまり入力ソースとして放送受信映像が選択された状態に復旧する。
【０１３５】
上記入力端子の切替復旧処理が終了するとアプリケーション制御部１２は、続いて放送用テレビジョン受信機ＴＶの電源復旧処理を以下のように実行する。すなわち、アプリケーション制御部１２は、上記会議通話が開始される前の放送用テレビジョン受信機ＴＶの電源のオン／オフ状態を表す情報を自己の内部メモリに保存している。そして、上記BYEメッセージ及び200 OKメッセージの受信が呼（ＳＩＰ）制御部１３から通知されると、上記内部メモリに保存された電源のオン／オフ状態を表す情報をもとに、テレビ電話通信が開始される前の放送用テレビジョン受信機ＴＶの電源がオン状態であったかオフ状態であったかを判定する。そして、電源がオフだったと判定された場合、つまり内部メモリに保存された電源のオン／オフ状態を表す情報が「電源オフ」の場合には、放送用テレビジョン受信機ＴＶの電源をオフさせるためのリモコンコード生成指示をリモコンコード決定部１８へ出力し、内部メモリに保存された電源のオン／オフ状態を表す情報を「電源オン」に初期化する。
【０１３６】
リモコンコード決定部１８は、上記アプリケーション制御部１２から送られたリモコンコードの生成指示に応じて、リモコンコード検索テーブル１２１から該当する電源制御用のリモコンコード（利用者Ａのテレビジョン電話端末ＴＭであれば“0x0A01”、利用者Ｂの電話端末ＴＭであれば“0x0B01”）を読み出し、このリモコンコードを赤外線リモコン発光部ＲＯに供給する。この結果、赤外線リモコン発光部ＲＯからは、放送用テレビジョン受信機ＴＶの電源オフを指示する赤外線信号が送信される。この赤外線信号は放送用テレビジョン受信機ＴＶのリモコン受信部３で受信され、これに応じて放送用テレビジョン受信機ＴＶの電源はオフされる。  
すなわち、テレビ電話通話が開始される前に放送用テレビジョン受信機ＴＶの電源がオフ状態だった場合、テレビ電話通信終了後に放送用テレビジョン受信機ＴＶの電源は自動的にオフされる。
【０１３７】
以上述べたように第３の実施形態では、発信時において、電話番号入力前に発信ボタン２２１が操作された場合に、放送用テレビジョン受信機ＴＶの入力端子を切り替えるためのリモコンコードを生成し、この生成されたリモコンコードをもとに、テレビ電話端末ＴＭが接続された入力端子を選択するために必要な回数だけ赤外線リモコン発光部ＲＯから赤外線信号を繰り返し送信させる。また、着信時においては、着信呼出中に着信ボタン２２２が操作された場合に、オフフック処理を呼（ＳＩＰ）制御部１３で行わせると共に、放送用テレビジョン受信機ＴＶの入力端子を切り替えるためのリモコンコードを生成し、この生成されたリモコンコードをもとに、テレビ電話端末ＴＭが接続された入力端子を選択するために必要な回数だけ赤外線リモコン発光部ＲＯから赤外線信号を繰り返し送信させるようにしている。
【０１３８】
したがって、発信時においても、また着信時においても、テレビ電話端末用リモコンＲＣの発信ボタン２２１及び着信ボタン２２２の操作により、放送用テレビジョン受信機ＴＶの入力端子の切替操作を行うことができる。すなわち、発信ボタン２２１及び着信ボタン２２２の操作により、発着信のための呼接続指示と放送用テレビジョン受信機ＴＶの入力ソースの切替指示の両方を自動的に識別して入力することが可能となる。このため、発信側の利用者Ａ及び着信側の利用者Ｂは、放送用テレビジョン受信機ＴＶのリモコンを別途操作して入力ソースを切り替える必要がなくなる。しかも、発信ボタン２２１及び着信ボタン２２２を１回押下するだけで、必要回数分の入力端子の切替指示信号が自動的に送信される。このため、入力端子の切替操作に必要な発信ボタン２２１及び着信ボタン２２２の操作回数をさらに減らすことができ、その分操作負担がさらに軽減される。
【０１３９】
また、テレビ電話通信開始前に発信ボタン２２１及び着信ボタン２２２の操作により生成された入力端子切替指示の出力回数を入力切替指示数カウンタ１２２でカウントして保持しておき、テレビ電話通信終了後に、放送用テレビジョン受信機ＴＶが保有する入力端子の総数から上記入力切替指示数カウンタ１２２に保持されたカウント値を引き算し、この引き算後の値に相当する回数だけ放送用テレビジョン受信機ＴＶに対し赤外線リモコン発光部ＲＯから入力端子切替指示のための赤外線信号を送信するようにしている。
【０１４０】
したがって、会議通話終了後には、放送用テレビジョン受信機ＴＶの入力端子の切替状態を切替前の状態に復旧させるための赤外線信号が必要回数だけ自動送信されて、これにより放送用テレビジョン受信機ＴＶの入力端子の切替状態が会議通話前の状態に自動復旧される。このため、発信者及び着信者は会議通話終了後においても、放送用テレビジョン受信機ＴＶのリモートコントローラを別途操作して入力端子を切り替える必要がなくなる。
【０１４１】
またこの実施形態においても、前記第１及び第２の実施形態と同様に、テレビ電話通話が開始される前に放送用テレビジョン受信機ＴＶの電源がオフ状態だった場合には、テレビ電話通信終了後に放送用テレビジョン受信機ＴＶの電源は自動的にオフすることができる。この結果、利用者Ａ，Ｂはテレビ電話通信終了後に放送用テレビジョン受信機ＴＶのリモコンを別途操作して電源をオフする必要がなくなり、その分操作負担がさらに軽減される。
【０１４２】
（その他の実施形態）  
テレビ電源ボタン２４１、発信ボタン２２１又は着信ボタン２２２の押下に応じて、放送用テレビジョン受信機ＴＶの電源をオンさせるための信号を先ず送信し、放送用テレビジョン受信機ＴＶの電源がオンされるまでに要する時間が経過した後に、続いて入力端子の切替を指示するための赤外線信号を所定回数繰り返し送信するように構成してもよい。このようにすると、利用者は１回のボタン操作により放送用テレビジョン受信機ＴＶを使用可能な状態に設定することができ、これにより操作負担がさらに軽減される。
【０１４３】
また、前記第１乃至第３の各実施形態では、放送用テレビジョン受信機ＴＶのメーカ名とその機種名に対応付けて入力端子総数を記憶した入力端子総数検索テーブル１２４をテレビ電話端末装置ＴＭＳに予め設けるようにしたが、利用者自身がテレビ電話端末用リモコンＲＣを操作することにより、放送用テレビジョン受信機ＴＶが保有する入力端子総数を入力するようにしてもよい。
【０１４４】
また、リモコンは赤外線を使用するもの以外に、Bluetooth（登録商標）等の小電力の無線を使用したものでもよい。さらに、発信ボタン２２１と着信ボタン２２２は、物理的に同一のボタン（発着信ボタン）としてもよい。その他、テレビ電話端末の構成や制御手順及び制御内容等についても、この発明の要旨を逸脱しない範囲で種々変形して実施できる。
【０１４５】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１４６】
【図１】この発明の第１の実施形態に係わる会議通話端末装置であるテレビ電話端末装置と、その周辺部のシステム構成を示す図である。
【図２】図１に示したテレビ電話端末装置の中核をなすテレビ電話端末の構成を示すブロック図である。
【図３】図１に示したテレビ電話端末装置で使用されるテレビ電話端末用リモコンの構成を示すブロック図である。
【図４】図２に示したテレビ電話端末に設けられるリモコンコード検索テーブルの一例を示す図である。
【図５】図２に示したテレビ電話端末に設けられる入力端子総数検索テーブルの一例を示す図である。
【図６】図２に示したテレビ電話端末を使用したテレビ電話通信の動作手順を示すシーケンス図である。
【図７】この発明の第２の実施形態に係わるテレビ電話端末装置で使用されるテレビ電話端末用リモコンの構成を示すブロック図である。
【図８】この発明の第２の実施形態に係わるテレビ電話端末を使用したテレビ電話通信の動作手順を示すシーケンス図である。
【図９】この発明の第３の実施形態に係わるテレビ電話端末を使用したテレビ電話通信の動作手順を示すシーケンス図である。
【符号の説明】
【０１４７】
ＴＶ…放送用テレビジョン受信機、ＴＭＳ…テレビジョン電話端末装置、ＴＭ…テレビ電話端末、ＲＣ…テレビ電話端末用リモコン、ＲＯ…赤外線リモコン発光部、１１…赤外線リモコン受信部、１２…アプリケーション制御部、１２１…リモコンコード検索テーブル、１２２…入力切替指示数カウンタ、１２３…テレビ機種保持メモリ、１２４…入力端子総数検索テーブル、１２５…入力端子初期化部、１３…呼（ＳＩＰ）制御部、１４…通信プロトコル処理部、１５…ネットワークインタフェース部、１６…音声処理部、１６１…マイクロホン、１６２…音声出力端子、１７…映像処理部、１７１…ビデオカメラ、１７２…映像出力端子、１８…リモコンコード決定部、２１…赤外線発光部、２２…テレビ電話端末操作用ボタン群、２２１…発信ボタン、２２２…着信ボタン、２２３…切断ボタン、２３…電話番号入力用ボタン、２４…放送用テレビジョン操作用ボタン群、２４１…テレビ電源ボタン、２４２…切替ボタン。
【図１】
2009272717.tif 000003
【図２】
2009272717.tif 000004
【図３】
2009272717.tif 000005
【図４】
2009272717.tif 000006
【図５】
2009272717.tif 000007
【図６】
2009272717.tif 000008
【図７】
2009272717.tif 000009
【図８】
2009272717.tif 000010
【図９】
2009272717.tif 000011